(57)【要約】  ワイヤレスネットワーク内での信頼できるチャネル復号の技法を提供する。一態様では、ワイヤレスデバイスは、ダウンリンク送信の物理ブロードキャストチャネルを介してシステム情報を受信する。ワイヤレスデバイスは、復号が巡回冗長検査に合格するまで、複数の仮説を使用して現在の無線フレームの物理ブロードキャストチャネルを復号する。その後、ワイヤレスデバイスは、現在の無線フレームからのシステム情報を、前の無線フレームから入手された情報と比較する。前の無線フレームからの情報は、ワイヤレスデバイスのメモリに格納できる１つまたは複数のネットワークパラメータを含むことができる。いくつかの態様では、比較を、複数の無線フレームにまたがって実行することができる。比較の結果に少なくとも部分的に基づいて、ワイヤレスデバイスは、無線フレームのうちの１つまたは複数からのシステム情報を選択的に拒絶することができる。
2013501426.tif 000002
【特許請求の範囲】
【請求項１】
ワイヤレスネットワークに関連するシステム情報を入手するために現在の無線フレームのブロードキャストチャネルを復号することと、
前記現在の無線フレームの前記システム情報を前の無線フレームから入手されたシステム情報と比較することと、
前記比較することの結果に少なくとも部分的に基づいて前記現在の無線フレームの前記システム情報を選択的に拒絶することと
を備える、ワイヤレス通信の方法。
【請求項２】
前記ブロードキャストチャネルを前記復号することは、複数の仮説をテストすることを備える、請求項１に記載の方法。
【請求項３】
前記比較することは、前記現在の無線フレームの前記ブロードキャストチャネルを復号することに関連する巡回冗長検査に合格することに応答して開始される、請求項２に記載の方法。
【請求項４】
前記システム情報は、帯域幅（ＢＷ）インジケータを備え、前記選択的に拒絶することは、前記現在の無線フレームの前記ＢＷインジケータが前記前の無線フレームのＢＷインジケータと一致しないことが判定される時に前記現在の無線フレームの前記システム情報を拒絶することを備える、請求項３に記載の方法。
【請求項５】
前記選択的に拒絶することは、前記前のフレームに関連するシステムフレーム番号（ＳＦＮ）に少なくとも部分的に基づいて前記現在の無線フレームからの前記システム情報を拒絶することを備える、請求項３に記載の方法。
【請求項６】
前記システム情報は、冗長性バージョン（ＲＶ）を備え、
前記比較することは、前記現在の無線フレームに関連する第１のＲＶを前記前の無線フレームからの前記システム情報から判定された期待されるＲＶと比較することを含み、
前記選択的に拒絶することは、前記第１のＲＶが前記期待されるＲＶと一致しないことが判定される時に前記現在の無線フレームの前記システム情報を拒絶することを含む
請求項３に記載の方法。
【請求項７】
コンピュータに、ワイヤレスネットワークに関連するシステム情報を入手するために現在の無線フレームのブロードキャストチャネルを復号させるコードの第１のセットと、
前記コンピュータに、前記現在の無線フレームの前記システム情報を前の無線フレームから入手されたシステム情報と比較させるコードの第２のセットと、
前記コンピュータに、前記比較することの結果に少なくとも部分的に基づいて前記現在の無線フレームの前記システム情報を選択的に拒絶させるコードの第３セットと
を備えるコンピュータ可読記憶媒体
を備えるコンピュータプログラム製品。
【請求項８】
前記ブロードキャストチャネルを復号することは、複数の仮説をテストすることを備える、請求項７に記載のコンピュータプログラム製品。
【請求項９】
前記比較することは、前記現在の無線フレームの前記ブロードキャストチャネルを復号することに関連する巡回冗長検査に合格することに応答して開始される、請求項８に記載のコンピュータプログラム製品。
【請求項１０】
前記システム情報は、帯域幅（ＢＷ）インジケータを備え、前記選択的に拒絶することは、前記現在の無線フレームの前記ＢＷインジケータが前記前の無線フレームのＢＷインジケータと一致しない時に前記現在の無線フレームの前記システム情報を拒絶することを備える、請求項９に記載のコンピュータプログラム製品。
【請求項１１】
前記選択的に拒絶することは、前記前のフレームに関連するシステムフレーム番号（ＳＦＮ）に少なくとも部分的に基づいて前記現在の無線フレームからの前記システム情報を拒絶することを備える、請求項９に記載のコンピュータプログラム製品。
【請求項１２】
前記システム情報は、冗長性バージョン（ＲＶ）を備え、
前記比較することは、前記現在の無線フレームに関連する第１のＲＶを前記前の無線フレームから判定された期待されるＲＶと比較することを備え、
前記選択的に拒絶することは、前記第１のＲＶが前記期待されるＲＶと一致しないことが判定される時に前記現在の無線フレームの前記システム情報を拒絶することを備える
請求項９に記載のコンピュータプログラム製品。
【請求項１３】
ワイヤレスネットワークに関連するシステム情報を入手するために現在の無線フレームのブロードキャストチャネルを復号するための手段と、
前記現在の無線フレームの前記システム情報を前の無線フレームから入手されたシステム情報と比較するための手段と、
前記比較することの結果に少なくとも部分的に基づいて前記現在の無線フレームの前記システム情報を選択的に拒絶するための手段と
を備える装置。
【請求項１４】
前記ブロードキャストチャネルを復号することは、複数の仮説をテストすることを備える、請求項１３に記載の装置。
【請求項１５】
前記比較することは、前記現在の無線フレームの前記ブロードキャストチャネルを復号することに関連する巡回冗長検査に合格することに応答して開始される、請求項１４に記載の装置。
【請求項１６】
前記システム情報は、帯域幅（ＢＷ）インジケータを備え、前記選択的に拒絶することは、前記現在の無線フレームの前記ＢＷインジケータが前記前の無線フレームのＢＷインジケータと一致しない時に前記現在の無線フレームの前記システム情報を拒絶することを備える、請求項１５に記載の装置。
【請求項１７】
選択的に拒絶することは、前記前のフレームに関連するシステムフレーム番号（ＳＦＮ）に少なくとも部分的に基づいて前記現在の無線フレームからの前記システム情報を拒絶することを備える、請求項１５に記載の装置。
【請求項１８】
前記システム情報は、冗長性バージョン（ＲＶ）を備え、
前記比較することは、前記現在の無線フレームに関連する第１のＲＶを前記前の無線フレームから判定された期待されるＲＶと比較することを含み、
前記選択的に拒絶することは、前記第１のＲＶが前記期待されるＲＶと一致しない時に前記現在の無線フレームの前記システム情報を拒絶することを含む
請求項１５に記載の装置。
【請求項１９】
ワイヤレスネットワークに関連するシステム情報を入手するために現在の無線フレームのブロードキャストチャネルを復号し、
前記現在の無線フレームの前記システム情報を前の無線フレームから入手されたシステム情報と比較し、
前記比較することの結果に少なくとも部分的に基づいて前記現在の無線フレームの前記システム情報を選択的に拒絶する
ように構成された物理ブロードキャストチャネル（ＰＢＣＨ）復号モジュール
を備える装置。
【請求項２０】
前記ブロードキャストチャネルを復号することは、複数の仮説をテストすることを備える、請求項１９に記載の装置。
【請求項２１】
前記比較することは、前記現在の無線フレームの前記ブロードキャストチャネルを復号することに関連する巡回冗長検査に合格することに応答して開始される、請求項２０に記載の装置。
【請求項２２】
前記システム情報は、帯域幅（ＢＷ）インジケータを備え、前記選択的に拒絶することは、前記現在の無線フレームの前記ＢＷインジケータが前記前の無線フレームのＢＷインジケータと一致しない時に前記現在の無線フレームの前記システム情報を拒絶することを備える、請求項２１に記載の装置。
【請求項２３】
選択的に拒絶することは、前記前のフレームに関連するシステムフレーム番号（ＳＦＮ）に少なくとも部分的に基づいて前記現在の無線フレームからの前記システム情報を拒絶することを備える、請求項２１に記載の装置。
【請求項２４】
前記システム情報は、冗長性バージョン（ＲＶ）を備え、
前記比較することは、前記現在の無線フレームに関連する第１のＲＶを前記前の無線フレームから判定された期待されるＲＶと比較することを含み、
前記選択的に拒絶することは、前記第１のＲＶが前記期待されるＲＶと一致しない時に前記現在の無線フレームの前記システム情報を拒絶することを含む
請求項２１に記載の装置。
【請求項２５】
物理ブロードキャストチャネル（ＰＢＣＨ）を備えるダウンリンク送信を受信することと、
第１の復号されたＰＢＣＨペイロードを入手するために前記ＰＢＣＨを復号することと、
前記第１の復号されたＰＢＣＨペイロードの前に入手された第２の復号されたＰＢＣＨペイロードに少なくとも部分的に基づいて前記第１の復号されたＰＢＣＨペイロードに関係するエラー条件を検出することと、
前記エラー条件を検出することに応答して前記第１の復号されたＰＢＣＨペイロードを拒絶することと
を備える、ワイヤレス通信システム内でブロードキャストチャネルを復号する方法。
【請求項２６】
前記ＰＢＣＨを前記復号することは、前記第１の復号されたＰＢＣＨペイロードについて成功の巡回冗長検査が達成されるまで実行され、前記復号することは、複数の仮説をテストすることをさらに備える、請求項２５に記載の方法。
【請求項２７】
前記エラー条件を前記検出することは、
前記第１の復号されたＰＢＣＨペイロードに関連する帯域幅（ＢＷ）フィールドが前記第２の復号されたＰＢＣＨペイロードに関連するＢＷフィールドと一致しないことを判定すること、または
前記第１の復号されたＰＢＣＨペイロードに関連する前記ＢＷフィールドおよび前記第１の復号されたＰＢＣＨペイロードに関連する予約済みビットがそれぞれ前記第２の復号されたＰＢＣＨペイロードに関連するＢＷフィールドおよび前記第２の復号されたＰＢＣＨペイロードに関連する予約済みビットと一致しないことを判定すること
のうちの少なくとも１つを備える、請求項２６に記載の方法。
【請求項２８】
前記エラー条件を前記検出することは、
前記第１の復号されたＰＢＣＨペイロードに関連するシステムフレーム番号が前記第１の復号されたＰＢＣＨペイロードに関連するフレームと前記第２の復号されたＰＢＣＨペイロードに関連するフレームとの間のＰＢＣＨフレームの不正な個数を示すことを判定すること、
冗長性値（ＲＶ）インデックスが前記ＰＢＣＨの既知のフレーム境界に関する期待値と矛盾することを判定すること、または
物理制御フォーマットインジケータチャネル（ＰＣＦＩＣＨ）値が期待される物理ＨＡＲＱインジケータ（ＰＨＩＣＨ）持続時間と矛盾することを判定すること
のうちの少なくとも１つを備える、請求項２６に記載の方法。
【請求項２９】
前記ＰＣＦＩＣＨ値は、前記ＰＣＦＩＣＨ値が１または２であり、前記ＰＨＩＣＨ持続時間が１ＯＦＤＭシンボル以外である場合に、前記期待されるＰＨＩＣＨ持続時間と矛盾すると判定される、請求項２８に記載の方法。
【請求項３０】
前記復号することは、複数の無線フレームにまたがって実行され、前記エラー条件が前記第１の復号されたＰＢＣＨペイロードに関係するかどうかの前記判定することは、
前記第１の復号されたＰＢＣＨペイロードの巡回冗長検査（ＣＲＣ）が前記複数の無線フレームのうちの第１の無線フレームの前記復号中に許容可能と判定されるかどうかと、前記第１の復号されたＰＢＣＨペイロードに関連する冗長性値（ＲＶ）インデックスが選択された値未満であるかどうかとを判定することと、
前記第１の復号されたＰＢＣＨペイロードの前記ＣＲＣが前記複数の無線フレームのうちの第１の無線フレームの前記復号中に許容可能と判定されることに応答して前記第１の復号されたＰＢＣＨペイロードを格納することと、
前記第１の復号されたＰＢＣＨペイロードの前記ＣＲＣが前記複数の無線フレームのうちの第２の無線フレームの復号中に許容可能と判定されるかどうかを判定することであって、前記複数の無線フレームのうちの前記第２の無線フレームは、前記複数の無線フレームのうちの前記第１の無線フレームより時間的に後である、判定することと
を備える、請求項２５に記載の方法。
【請求項３１】
前記第１の復号されたＰＢＣＨペイロードの前記ＣＲＣが前記複数の無線フレームのうちの前記第２の無線フレームの前記復号中に許容可能であり、条件が満足されることを判定することに応答して前記第１の復号されたＰＢＣＨペイロードを受け入れることをさらに備え、前記条件は、
前記第１の復号されたＰＢＣＨペイロードに関連するＲＶインデックスを判定することが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項３０に記載の方法。
【請求項３２】
前記第１の復号されたＰＢＣＨペイロードの前記ＣＲＣが前記複数の無線フレームのうちの前記第２の無線フレームの前記復号中に許容可能であり、条件が満足されないことを判定することに応答して、前記第２の復号されたＰＢＣＨペイロードを破棄し、前記第１の復号されたＰＢＣＨペイロードを格納することをさらに備え、前記条件は、
前記第１の復号されたＰＢＣＨペイロードに関連するＲＶインデックスが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項３０に記載の方法。
【請求項３３】
前記第１の復号されたＰＢＣＨペイロードの前記ＣＲＣが前記複数の無線フレームのうちの前記第２の無線フレームの前記復号中に許容可能でないことを判定することに応答して前記第１の復号されたＰＢＣＨペイロードを破棄することをさらに備える、請求項３０に記載の方法。
【請求項３４】
前記復号することは、複数の無線フレームにまたがって実行され、前記エラー条件が前記第１の復号されたＰＢＣＨペイロードに関係するかどうかを前記判定することは、
複数の復号されたペイロードのプリアンブルに対する複数の巡回冗長検査（ＣＲＣ）を比較することであって、前記第１の復号されたＰＢＣＨペイロードは、前記複数の復号されたペイロードのうちの１つである、比較することと、
前記複数の復号されたペイロードのうちの複数が許容可能であるＣＲＣに関連することを判定することに応答して、復号中の最大個数のＣＲＣ合格に関連する１つまたは複数の復号されたペイロードを選択することと、
前記１つまたは複数の復号されたペイロードのうちの複数が復号中の前記最大個数のＣＲＣ合格に関連することに応答して、最大の冗長性値インデックスに関連する、最大個数のＣＲＣ合格に関連する１つまたは複数の復号されたペイロードのうちの１つを選択することと
を備える、請求項２５に記載の方法。
【請求項３５】
コンピュータに、物理ブロードキャストチャネル（ＰＢＣＨ）を備えるダウンリンク送信を受信させるコードの第１のセットと、
前記コンピュータに、第１の復号されたＰＢＣＨペイロードを入手するために前記ＰＢＣＨを復号させるコードの第２のセットと、
前記コンピュータに、前記第１の復号されたＰＢＣＨペイロードの前に入手された第２の復号されたＰＢＣＨペイロードに少なくとも部分的に基づいて前記第１の復号されたＰＢＣＨペイロードに関係するエラー条件を検出させるコードの第３セットと、
前記コンピュータに、前記エラー条件を検出することに応答して前記第１の復号されたＰＢＣＨペイロードを拒絶させるコードの第４セットと
を備えるコンピュータ可読記憶媒体
を備えるコンピュータプログラム製品。
【請求項３６】
前記ＰＢＣＨを復号することは、前記第１の復号されたＰＢＣＨペイロードについて成功の巡回冗長検査が達成されるまで実行され、前記復号することは、複数の仮説をテストすることをさらに備える、請求項３５に記載のコンピュータプログラム製品。
【請求項３７】
前記エラー条件を前記検出することは、
前記第１の復号されたＰＢＣＨペイロードに関連する帯域幅（ＢＷ）フィールドが前記第２の復号されたＰＢＣＨペイロードに関連するＢＷフィールドと一致しないことを判定すること、または
前記第１の復号されたペイロードに関連する前記ＢＷフィールドおよび前記第１の復号されたＰＢＣＨペイロードに関連する予約済みビットがそれぞれ前記第２の復号されたＰＢＣＨペイロードに関連するＢＷフィールドおよび前記第２の復号されたＰＢＣＨペイロードに関連する予約済みビットと一致しないことを判定すること
のうちの少なくとも１つを備える、請求項３６に記載のコンピュータプログラム製品。
【請求項３８】
前記エラー条件を前記検出することは、
前記第１の復号されたＰＢＣＨペイロードに関連するシステムフレーム番号（ＳＦＮ）が前記第１の復号されたＰＢＣＨペイロードに関連するフレームと前記第２の復号されたＰＢＣＨペイロードに関連するフレームとの間のＰＢＣＨフレームの不正な個数を示すことを判定すること、
冗長性値（ＲＶ）インデックスが前記ＰＢＣＨの既知のフレーム境界に関する期待値と共に含まれることを判定すること、または
物理制御フォーマットインジケータチャネル（ＰＣＦＩＣＨ）値が期待される物理ＨＡＲＱインジケータチャネル（ＰＨＩＣＨ）持続時間と矛盾することを判定すること
のうちの少なくとも１つを備える、請求項３６に記載のコンピュータプログラム製品。
【請求項３９】
前記ＰＣＦＩＣＨ値は、前記ＰＣＦＩＣＨ値が１または２であり、前記ＰＨＩＣＨ持続時間が１ＯＦＤＭシンボル以外である場合に、前記期待されるＰＨＩＣＨ持続時間と矛盾すると判定される、請求項３８に記載のコンピュータプログラム製品。
【請求項４０】
前記復号することは、複数の無線フレームにまたがって実行され、前記エラー条件が前記第１の復号されたＰＢＣＨペイロードに関係するかどうかを前記判定することは、
前記第１の復号されたＰＢＣＨペイロードの巡回冗長検査（ＣＲＣ）が前記複数の無線フレームのうちの第１の無線フレームの前記復号中に許容可能と判定されるかどうかと、前記第１の復号されたＰＢＣＨペイロードに関連する冗長性値（ＲＶ）インデックスが選択された値未満であるかどうかとを判定することと、
前記第１の復号されたＰＢＣＨペイロードの前記ＣＲＣが前記複数の無線フレームのうちの第１の無線フレームの前記復号中に許容可能と判定されることに応答して前記第１の復号されたＰＢＣＨペイロードを格納することと、
前記第１の復号されたＰＢＣＨペイロードのＣＲＣが前記複数の無線フレームのうちの第２の無線フレームの復号中に許容可能と判定されるかどうかを判定することであって、前記複数の無線フレームのうちの前記第２の無線フレームは、前記複数の無線フレームのうちの前記第１の無線フレームより時間的に後である、判定することと
を備える、請求項３５に記載のコンピュータプログラム製品。
【請求項４１】
前記第１の復号されたＰＢＣＨペイロードの前記ＣＲＣが前記複数の無線フレームのうちの前記第２の無線フレームの前記復号中に許容可能であり、条件が満足されることを判定することに応答して前記第１の復号されたＰＢＣＨペイロードを受け入れることをさらに備え、前記条件は、
前記第１の復号されたＰＢＣＨペイロードに関連するＲＶインデックスを判定することが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項４０に記載のコンピュータプログラム製品。
【請求項４２】
前記第１の復号されたＰＢＣＨペイロードの前記ＣＲＣが前記複数の無線フレームのうちの前記第２の無線フレームの前記復号中に許容可能であり、条件が満足されないことを判定することに応答して、前記第２の復号されたＰＢＣＨペイロードを破棄し、前記第１の復号されたＰＢＣＨペイロードを格納することをさらに備え、前記条件は、
前記第１の復号されたＰＢＣＨペイロードに関連するＲＶインデックスが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項４０に記載のコンピュータプログラム製品。
【請求項４３】
前記第１の復号されたＰＢＣＨペイロードの前記ＣＲＣが前記複数の無線フレームのうちの前記第２の無線フレームの前記復号中に許容可能でないことを判定することに応答して前記第１の復号されたＰＢＣＨペイロードを破棄することをさらに備える、請求項４０に記載のコンピュータプログラム製品。
【請求項４４】
前記復号することは、複数の無線フレームにまたがって実行され、前記エラー条件が前記第１の復号されたＰＢＣＨペイロードに関係するかどうかを前記判定することは、
複数の復号されたペイロードのプリアンブルに対する複数のＣＲＣを比較することであって、前記第１の復号されたＰＢＣＨペイロードは、前記複数の復号されたペイロードのうちの１つである、比較することと、
前記複数の復号されたペイロードのうちの複数が許容可能であるＣＲＣに関連することを判定することに応答して、復号中の最大個数の巡回冗長検査合格に関連する１つまたは複数の復号されたペイロードを選択することと、
前記１つまたは複数の復号されたペイロードのうちの複数が復号中の前記最大個数のＣＲＣ合格に関連することに応答して、最大の冗長性値インデックスに関連する、最大個数の巡回冗長検査合格に関連する１つまたは複数の復号されたペイロードのうちの１つを選択することと
を備える、請求項３５に記載のコンピュータプログラム製品。
【請求項４５】
物理ブロードキャストチャネル（ＰＢＣＨ）を備えるダウンリンク送信を受信するための手段と、
第１の復号されたＰＢＣＨペイロードを入手するために前記ＰＢＣＨを復号するための手段と、
前記第１の復号されたＰＢＣＨペイロードの前に入手された第２の復号されたＰＢＣＨペイロードに少なくとも部分的に基づいて前記第１の復号されたＰＢＣＨペイロードに関係するエラー条件を検出するための手段と、
前記エラー条件を検出することに応答して前記第１の復号されたＰＢＣＨペイロードを拒絶するための手段と
を備える装置。
【請求項４６】
前記ＰＢＣＨの復号することは、前記第１の復号されたＰＢＣＨペイロードについて成功の巡回冗長検査（ＣＲＣ）が達成されるまで実行され、前記復号することは、複数の仮説をテストすることをさらに備える、請求項４５に記載の装置。
【請求項４７】
前記エラー条件を前記検出することは、
前記第１の復号されたＰＢＣＨペイロードに関連する帯域幅（ＢＷ）フィールドが前記第２の復号されたＰＢＣＨペイロードに関連するＢＷフィールドと一致しないことを判定すること、または
前記第１の復号されたペイロードに関連する前記ＢＷフィールドおよび前記第１の復号されたＰＢＣＨペイロードに関連する予約済みビットがそれぞれ前記第２の復号されたＰＢＣＨペイロードに関連するＢＷフィールドおよび前記第２の復号されたＰＢＣＨペイロードに関連する予約済みビットと一致しないことを判定すること
のうちの少なくとも１つを備える、請求項４６に記載の装置。
【請求項４８】
前記エラー条件を前記検出することは、
前記第１の復号されたＰＢＣＨペイロードに関連するシステムフレーム番号が前記第１の復号されたＰＢＣＨペイロードに関連するフレームと前記第２の復号されたＰＢＣＨペイロードに関連するフレームとの間のＰＢＣＨフレームの不正な個数を示すことを判定すること、
冗長性値（ＲＶ）インデックスが前記ＰＢＣＨの既知のフレーム境界に関する期待値と共に含まれることを判定すること、または
物理制御フォーマットインジケータチャネル値（ＰＣＦＩＣＨ）が期待される物理ハイブリッドＡＲＱインジケータチャネル（ＰＨＩＣＨ）持続時間と矛盾することを判定すること
のうちの少なくとも１つを備える、請求項４６に記載の装置。
【請求項４９】
前記ＰＣＦＩＣＨ値は、前記ＰＣＦＩＣＨ値が１または２であり、前記ＰＨＩＣＨ持続時間が１ＯＦＤＭシンボルではない場合に、前記期待されるＰＨＩＣＨ持続時間と矛盾する、請求項４８に記載の装置。
【請求項５０】
復号することは、複数の無線フレームにまたがって実行され、前記エラー条件が前記第１の復号されたＰＢＣＨペイロードに関係するかどうかを前記判定することは、
前記第１の復号されたＰＢＣＨペイロードの巡回冗長検査（ＣＲＣ）が前記複数の無線フレームのうちの第１の無線フレームの復号中に許容可能と判定されるかどうかと、前記第１の復号されたＰＢＣＨペイロードに関連する冗長性値（ＲＶ）インデックスが選択された値未満であるかどうかとを判定することと、
前記第１の復号されたＰＢＣＨペイロードの前記ＣＲＣが前記複数の無線フレームのうちの第１の無線フレームの前記復号中に許容可能と判定されることに応答して前記第１の復号されたＰＢＣＨペイロードを格納することと、
前記第１の復号されたＰＢＣＨペイロードのＣＲＣが前記複数の無線フレームのうちの第２の無線フレームの復号中に許容可能と判定されるかどうかを判定することであって、前記複数の無線フレームのうちの前記第２の無線フレームは、前記複数の無線フレームのうちの前記第１の無線フレームより時間的に後である、判定することと
を備える、請求項４５に記載の装置。
【請求項５１】
前記第１の復号されたＰＢＣＨペイロードの前記ＣＲＣが前記複数の無線フレームのうちの前記第２の無線フレームの前記復号中に許容可能であり、条件が満足されることを判定することに応答して前記第１の復号されたＰＢＣＨペイロードを受け入れるための手段をさらに備え、前記条件は、
前記第１の復号されたＰＢＣＨペイロードに関連するＲＶインデックスを判定することが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項５０に記載の装置。
【請求項５２】
前記第１の復号されたＰＢＣＨペイロードの前記ＣＲＣが前記複数の無線フレームのうちの前記第２の無線フレームの前記復号中に許容可能であり、条件が満足されないことを判定することに応答して、前記第２の復号されたＰＢＣＨペイロードを破棄し、前記第１の復号されたＰＢＣＨペイロードを格納するための手段をさらに備え、前記条件は、
前記第１の復号されたＰＢＣＨペイロードに関連するＲＶインデックスが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項５０に記載の装置。
【請求項５３】
前記第１の復号されたＰＢＣＨペイロードの前記ＣＲＣが前記複数の無線フレームのうちの前記第２の無線フレームの前記復号中に許容可能でないことを判定することに応答して前記第１の復号されたＰＢＣＨペイロードを破棄するための手段をさらに備える、請求項５０に記載の装置。
【請求項５４】
前記復号することは、複数の無線フレームにまたがって実行され、前記エラー条件が前記第１の復号されたＰＢＣＨペイロードに関係するかどうかを前記判定することは、
複数の復号されたペイロードのプリアンブルに対する複数のＣＲＣを比較することであって、前記第１の復号されたＰＢＣＨペイロードは、前記複数の復号されたペイロードのうちの１つである、比較することと、
前記複数の復号されたペイロードのうちの複数が許容可能であるＣＲＣに関連することを判定することに応答して、復号中の最大個数のＣＲＣ合格に関連する１つまたは複数の復号されたペイロードを選択することと、
前記１つまたは複数の復号されたペイロードのうちの複数が復号中の前記最大個数のＣＲＣ合格に関連することに応答して、最大の冗長性値インデックスに関連する、最大個数のＣＲＣ合格に関連する１つまたは複数の復号されたペイロードのうちの１つを選択することと
を備える、請求項４５に記載の装置。
【請求項５５】
物理ブロードキャストチャネル（ＰＢＣＨ）を備えるダウンリンク送信を受信するように構成されたトランシーバと、
第１の復号されたＰＢＣＨペイロードを入手するために前記ＰＢＣＨを復号し、
前記第１の復号されたＰＢＣＨペイロードの前に入手された第２の復号されたＰＢＣＨペイロードに少なくとも部分的に基づいて前記第１の復号されたＰＢＣＨペイロードに関係するエラー条件を検出し、
前記エラー条件を検出することに応答して前記第１の復号されたＰＢＣＨペイロードを拒絶する
ように構成されたＰＢＣＨ復号モジュールと
を備える装置。
【請求項５６】
前記ＰＢＣＨを復号することは、前記第１の復号されたＰＢＣＨペイロードについて成功の巡回冗長検査（ＣＲＣ）が達成されるまで実行され、前記復号することは、複数の仮説をテストすることをさらに備える、請求項５５に記載の装置。
【請求項５７】
前記エラー条件を前記検出することは、
前記第１の復号されたＰＢＣＨペイロードに関連する帯域幅（ＢＷ）フィールドが前記第２の復号されたＰＢＣＨペイロードに関連するＢＷフィールドと一致しないことを判定すること、または
前記第１の復号されたペイロードに関連する前記ＢＷフィールドおよび前記第１の復号されたＰＢＣＨペイロードに関連する予約済みビットがそれぞれ前記第２の復号されたＰＢＣＨペイロードに関連するＢＷフィールドおよび前記第２の復号されたＰＢＣＨペイロードに関連する予約済みビットと一致しないことを判定すること
のうちの少なくとも１つを備える、請求項５６に記載の装置。
【請求項５８】
前記エラー条件を前記検出することは、
前記第１の復号されたＰＢＣＨペイロードに関連するシステムフレーム番号（ＳＦＮ）が前記第１の復号されたＰＢＣＨペイロードに関連するフレームと前記第２の復号されたＰＢＣＨペイロードに関連するフレームとの間のＰＢＣＨフレームの不正な個数を示すことを判定すること、
冗長性値（ＲＶ）インデックスが前記ＰＢＣＨの既知のフレーム境界に関する期待値と共に含まれることを判定すること、または
物理制御フォーマットインジケータチャネル（ＰＣＦＩＣＨ）値が期待される物理ハイブリッドＡＲＱインジケータチャネル（ＰＨＩＣＨ）持続時間と矛盾することを判定すること
のうちの少なくとも１つを備える、請求項５６に記載の装置。
【請求項５９】
前記ＰＣＦＩＣＨ値は、前記ＰＣＦＩＣＨ値が１または２であり、前記ＰＨＩＣＨ持続時間が１ＯＦＤＭシンボル以外である場合に、前記期待されるＰＨＩＣＨ持続時間と矛盾する、請求項５８に記載の装置。
【請求項６０】
前記復号することは、複数の無線フレームにまたがって実行され、前記エラー条件が前記第１の復号されたＰＢＣＨペイロードに関係するかどうかを前記判定することは、
前記第１の復号されたＰＢＣＨペイロードの巡回冗長検査（ＣＲＣ）が前記複数の無線フレームのうちの第１の無線フレームの復号中に許容可能と判定されるかどうかと、前記第１の復号されたＰＢＣＨペイロードに関連する冗長性値（ＲＶ）インデックスが選択された値未満であるかどうかとを判定することと、
前記第１の復号されたＰＢＣＨペイロードの前記ＣＲＣが前記複数の無線フレームのうちの第１の無線フレームの前記復号中に許容可能と判定されることに応答して前記第１の復号されたＰＢＣＨペイロードを格納することと、
前記第１の復号されたＰＢＣＨペイロードのＣＲＣが前記複数の無線フレームのうちの第２の無線フレームの復号中に許容可能と判定されるかどうかを判定することであって、前記複数の無線フレームのうちの前記第２の無線フレームは、前記複数の無線フレームのうちの前記第１の無線フレームより時間的に後である、判定することと
を備える、請求項５５に記載の装置。
【請求項６１】
前記ＰＢＣＨ復号モジュールは、
前記第１の復号されたＰＢＣＨペイロードの前記ＣＲＣが前記複数の無線フレームのうちの前記第２の無線フレームの前記復号中に許容可能であり、条件が満足されることを判定することに応答して前記第１の復号されたＰＢＣＨペイロードを受け入れる
ようにさらに構成され、前記条件は、
前記第１の復号されたＰＢＣＨペイロードに関連するＲＶインデックスを判定することが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項６０に記載の装置。
【請求項６２】
前記ＰＢＣＨ復号モジュールは、
前記第１の復号されたＰＢＣＨペイロードの前記ＣＲＣが前記複数の無線フレームのうちの前記第２の無線フレームの前記復号中に許容可能であり、条件が満足されないことを判定することに応答して、前記第２の復号されたＰＢＣＨペイロードを破棄し、前記第１の復号されたＰＢＣＨペイロードを格納する
ようにさらに構成され、前記条件は、
前記第１の復号されたＰＢＣＨペイロードに関連するＲＶインデックスが、前記複数の無線フレームのうちの前記第１の無線フレームが前記複数の無線フレームのうちの前記第２の無線フレームの直前である時の前記選択された値＋１を示す値であり、
前記第１の復号されたＰＢＣＨペイロードが、前記第２の復号されたＰＢＣＨペイロードと一致する
を含む、請求項６０に記載の装置。
【請求項６３】
前記ＰＢＣＨ復号モジュールは、
前記第１の復号されたＰＢＣＨペイロードの前記ＣＲＣが前記複数の無線フレームのうちの前記第２の無線フレームの前記復号中に許容可能でないことを判定することに応答して前記第１の復号されたＰＢＣＨペイロードを破棄する
ようにさらに構成される、請求項６０に記載の装置。
【請求項６４】
前記復号することは、複数の無線フレームにまたがって実行され、前記エラー条件が前記第１の復号されたＰＢＣＨペイロードに関係するかどうかの前記判定することは、
複数の復号されたペイロードのプリアンブルに対する複数のＣＲＣを比較することであって、前記第１の復号されたＰＢＣＨペイロードは、前記複数の復号されたペイロードのうちの１つである、比較することと、
前記複数の復号されたペイロードのうちの複数が許容可能であるＣＲＣに関連することを判定することに応答して、復号中の最大個数のＣＲＣ合格に関連する１つまたは複数の復号されたペイロードを選択することと、
前記１つまたは複数の復号されたペイロードのうちの複数が復号中の前記最大個数のＣＲＣ合格に関連することに応答して、最大の冗長性値インデックスに関連する、最大個数のＣＲＣ合格に関連する１つまたは複数の復号されたペイロードのうちの１つを選択することと
を備える、請求項５５に記載の装置。
【発明の詳細な説明】
【優先権の主張】
【０００１】
関連出願の相互参照
本願は、その内容全体が参照によって本明細書に組み込まれている、２００９年７月３１日に出願した米国仮出願第６１／２３０，６６８号、名称「Ｆａｌｓｅ  Ａｌａｒｍ  Ｐｒｏｔｅｃｔｉｏｎ  ｆｏｒ  Ｐｈｙｓｉｃａｌ  Ｂｒｏａｄｃａｓｔ  Ｃｈａｎｎｅｌ  Ｂｌｉｎｄ  Ｄｅｃｏｄｉｎｇ」の利益を主張するものである。
【技術分野】
【０００２】
次の説明は、全般的にはワイヤレス通信に関し、より具体的には、ワイヤレス通信システムでの送信の復号に関する。
【背景技術】
【０００３】
ワイヤレス通信システムは、さまざまなタイプの通信を提供するために広く展開されている。たとえば、音声および／またはデータを、そのようなワイヤレス通信システムを介して提供することができる。通常のワイヤレス通信システムまたはネットワークは、１つまたは複数の共有リソース（たとえば、帯域幅、送信電力）へのアクセスを複数のユーザに提供することができる。たとえば、システムは、周波数分割多重（ＦＤＭ）、時分割多重（ＴＤＭ）、符号分割多重（ＣＤＭ）、直交周波数分割多重（ＯＦＤＭ）、および他などのさまざまな多元接続技法を使用することができる。
【０００４】
一般に、ワイヤレス多元接続通信システムは、複数のユーザ機器（ＵＥ）の通信を同時にサポートすることができる。各ＵＥは、順方向リンク上と逆方向リンク上との送信を介して１つまたは複数のアクセスポイント（ＡＰ）または基地局（ＢＳ）と通信することができる。順方向リンク（またはダウンリンク（ＤＬ））は、ＢＳからＵＥへの通信リンクを指し、逆方向リンク（またはアップリンク（ＵＬ））は、ＵＥからＢＳへの通信リンクを指す。
【発明の概要】
【０００５】
以下に、１つまたは複数の実施形態の基本的な理解を提供するために、そのような実施形態の単純化された要約を提示する。この要約は、すべての企図される実施形態の徹底的な概要ではなく、すべての実施形態の主要な要素もしくはクリティカルな要素を識別することも、いずれかまたはすべての実施形態の範囲を区切ることも意図されていない。その唯一の目的は、後で提示されるより詳細な説明の前置きとして単純化された形で１つまたは複数の実施形態のいくつかの概念を提示することである。
【０００６】
１つまたは複数の実施形態およびその対応する開示によれば、さまざまな態様が、ＰＢＣＨでの復号に関連して説明される。
【０００７】
一態様では、方法が提供される。この方法は、ワイヤレスネットワークに関連するシステム情報を入手するために現在の無線フレームのブロードキャストチャネルを復号することと、現在の無線フレームのシステム情報を前の無線フレームから入手されたシステム情報と比較することと、比較の結果に少なくとも部分的に基づいて現在の無線フレームのシステム情報を選択的に拒絶することとを含むことができる。
【０００８】
もう１つの態様では、コンピュータ可読媒体を含むコンピュータプログラム製品が提供される。このコンピュータプログラム製品は、コンピュータに、ワイヤレスネットワークに関連するシステム情報を入手するために現在の無線フレームのブロードキャストチャネルを復号させるコードの第１のセットと、コンピュータに、現在の無線フレームのシステム情報を前の無線フレームから入手されたシステム情報と比較させるコードの第２のセットと、コンピュータに、比較の結果に少なくとも部分的に基づいて現在の無線フレームのシステム情報を選択的に拒絶させるコードの第３のセットとを含むことができる。
【０００９】
もう１つの態様では、装置が提供される。この装置は、ワイヤレスネットワークに関連するシステム情報を入手するために現在の無線フレームのブロードキャストチャネルを復号するための手段と、現在の無線フレームのシステム情報を前の無線フレームから入手されたシステム情報と比較するための手段と、比較の結果に少なくとも部分的に基づいて現在の無線フレームのシステム情報を選択的に拒絶するための手段とを含むことができる。
【００１０】
もう１つの態様では、装置が提供される。この装置は、ワイヤレスネットワークに関連するシステム情報を入手するために現在の無線フレームのブロードキャストチャネルを復号し、現在の無線フレームのシステム情報を前の無線フレームから入手されたシステム情報と比較し、比較の結果に少なくとも部分的に基づいて現在の無線フレームのシステム情報を選択的に拒絶するように構成された物理ブロードキャストチャネル（physical broadcast channel）（ＰＢＣＨ）復号モジュールを含むことができる。
【００１１】
さらなる態様では、方法が提供される。この方法は、物理ブロードキャストチャネル（ＰＢＣＨ）を備えるダウンリンク信号を受信することと、第１の復号されたＰＢＣＨペイロードを入手するためにＰＢＣＨを復号することと、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出することと、エラー条件の検出に応答して第１の復号されたＰＢＣＨペイロードを拒絶することとを含むことができる。
【００１２】
一態様では、コンピュータ可読媒体を含むコンピュータプログラム製品が提供される。このコンピュータプログラム製品は、コンピュータに、物理ブロードキャストチャネル（ＰＢＣＨ）を備えるダウンリンク信号を受信させるコードの第１のセットと、コンピュータに、第１の復号されたＰＢＣＨペイロードを入手するためにＰＢＣＨを復号させるコードの第２のセットと、コンピュータに、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出させるコードの第３のセットと、コンピュータに、エラー条件の検出に応答して第１の復号されたＰＢＣＨペイロードを拒絶させるコードの第４のセットとを含むことができる。
【００１３】
もう１つの態様では、装置が提供される。この装置は、物理ブロードキャストチャネル（ＰＢＣＨ）を備えるダウンリンク信号を受信するための手段と、第１の復号されたＰＢＣＨペイロードを入手するためにＰＢＣＨを復号するための手段と、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出するための手段と、エラー条件の検出に応答して第１の復号されたＰＢＣＨペイロードを拒絶するための手段とを含むことができる。
【００１４】
もう１つの態様では、装置が提供される。この装置は、物理ブロードキャストチャネル（ＰＢＣＨ）を備えるダウンリンク信号を受信するように構成されたトランシーバと、第１の復号されたＰＢＣＨペイロードを入手するためにＰＢＣＨを復号し、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出し、エラー条件の検出に応答して第１の復号されたＰＢＣＨペイロードを拒絶するように構成されたＰＢＣＨ復号モジュールとを含むことができる。
【００１５】
前述の目的および関係する目的の達成に向けて、１つまたは複数の実施形態は、本明細書で後で十分に説明され、特に特許請求の範囲で指摘される特徴を備える。本明細書で示される次の説明および添付図面は、１つまたは複数の実施形態のある種の例示的態様を詳細に示す。しかし、これらの態様は、さまざまな実施形態の原理を使用できるさまざまな形のうちの少数のみを示し、説明される実施形態は、すべてのそのような態様およびその同等物を含むことが意図されている。
【図面の簡単な説明】
【００１６】
【図１】本明細書で示されるさまざまな態様による、信頼できるチャネル復号のための例のワイヤレス通信システムを示す図。
【図２】本明細書で示されるさまざまな態様による、１つまたは複数のフェムトノードが展開される例示的なワイヤレス通信システムを示す図。
【図３Ａ】本明細書で示されるさまざまな態様による、信頼できるチャネル復号のためのワイヤレス通信システムの一態様を示すブロック図。
【図３Ｂ】本明細書で示されるさまざまな態様による、信頼できるチャネル復号のためのワイヤレス通信システムの一態様を示すブロック図。
【図３Ｃ】本明細書で示されるさまざまな態様による、信頼できるチャネル復号のためのワイヤレス通信システムの一態様を示すブロック図。
【図３Ｄ】本明細書で示されるさまざまな態様による、信頼できるチャネル復号のためのワイヤレス通信システムの一態様を示すブロック図。
【図３Ｅ】本明細書で示されるさまざまな態様による、信頼できるチャネル復号のためのワイヤレス通信システムの一態様を示すブロック図。
【図３Ｆ】本明細書で示されるさまざまな態様による、信頼できるチャネル復号のためのワイヤレス通信システムの一態様を示すブロック図。
【図３Ｇ】本明細書で示されるさまざまな態様による、信頼できるチャネル復号のためのワイヤレス通信システムの一態様を示すブロック図。
【図４Ａ】本明細書で示されるさまざまな態様による、信頼できるチャネル復号に関係する例示的なプロセスを示す流れ図。
【図４Ｂ】本明細書で示されるさまざまな態様による、信頼できるチャネル復号に関係する例示的なプロセスを示す流れ図。
【図５】本明細書で示されるさまざまな態様による、信頼できるチャネル復号のためのさらなる例示的プロセスを示す流れ図。
【図６】本明細書で示されるさまざまな態様による、信頼できるチャネル復号のためのさらなる例示的プロセスを示す流れ図。
【図７Ａ】本明細書で示されるさまざまな態様による、信頼できるチャネル復号のための例示的システムを示すブロック図。
【図７Ｂ】本明細書で示されるさまざまな態様による、信頼できるチャネル復号のための例示的システムを示すブロック図。
【図８Ａ】本明細書で示されるさまざまな態様による、信頼できるチャネル復号のための例示的システムを示すブロック図。
【図８Ｂ】本明細書で示されるさまざまな態様による、信頼できるチャネル復号のための例示的システムを示すブロック図。
【図９】本明細書で説明される実施形態を使用できる例示的なワイヤレス通信システムを示す図。
【発明を実施するための形態】
【００１７】
これから、さまざまな実施形態を図面を参照して説明するが、図面では、同様の符号が、あまねく同様の要素を指すのに使用される。次の説明では、説明において、１つまたは複数の実施形態の完全な理解を提供するために、多数の特定の詳細を示す。しかし、そのような実施形態をこれらの特定の詳細なしで実践できることは明白であろう。他の場合には、１つまたは複数の実施形態の説明を容易にするために、周知の構造およびデバイスをブロック図形式で示す。
【００１８】
本明細書で使用される時に、用語「コンポーネント」、「モジュール」、「システム」、および類似物は、ハードウェア、ファームウェア、ハードウェアおよびソフトウェアの組合せ、ソフトウェア、および／または実行中のソフトウェアのいずれかであるコンピュータ関係のエンティティを指すことが意図されている。たとえば、コンポーネントを、プロセッサ上で動作するプロセス、プロセッサ、オブジェクト、実行可能ファイル、実行のスレッド、プログラム、および／またはコンピュータとすることができるが、これらであることに限定はされない。たとえば、コンピューティングデバイス上で動作するアプリケーションおよび／またはそのコンピューティングデバイスの両方を、コンポーネントとすることができる。１つまたは複数のコンポーネントが、１つのプロセスおよび／または実行のスレッド内に存在することができ、１つのコンポーネントを、１つのコンピュータ上に局所化し、かつ／または複数のコンピュータの間で分散させることができる。さらに、これらのコンポーネントは、その上にさまざまなデータ構造を格納されたさまざまなコンピュータ可読媒体から実行することができる。コンポーネントは、１つまたは複数のデータパケット（たとえば、ローカルシステム内、分散システム内、および／または他のシステムを有するインターネットなどのネットワークにまたがる別のコンポーネントと信号によって相互作用する、あるコンポーネントからのデータ）を有する信号によってなど、ローカルプロセスおよび／またはリモートプロセスによって通信することができる。
【００１９】
本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ（ＳＣ−ＦＤＭＡ）、および／または他のシステムなどのさまざまなワイヤレス通信システムに使用することができる。用語「システム」と「ネットワーク」とは、しばしば交換可能に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ８０２０、その他などの無線技術を実施することができる。ＵＴＲＡは、Ｗｉｄｅｂａｎｄ−ＣＤＭＡ（Ｗ−ＣＤＭＡ）とＣＤＭＡの他の変形形態とを含む。ＣＤＭＡ８０２０は、ＩＳ−８０２０標準規格と、ＩＳ−９５標準規格と、ＩＳ−８５６標準規格とを含む。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、その他などの無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンクでＯＦＤＭＡ、アップリンクでＳＣ−ＦＤＭＡを使用するＥ−ＵＴＲＡを使用するやがて公開されるＵＭＴＳのリリースである。ＵＴＲＡと、Ｅ−ＵＴＲＡと、ＵＭＴＳと、ＬＴＥと、ＧＳＭ（登録商標）とは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ＣＤＭＡ８０２０とＵＭＢとは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。さらに、そのようなワイヤレス通信システムは、さらに、無対免許不要スペクトル、８０２．ｘｘワイヤレスＬＡＮ、ＢＬＵＥＴＯＯＴＨ（登録商標）、および任意の他の短距離または長距離のワイヤレス通信技法をしばしば使用するピアツーピア（たとえば、モバイル対モバイル）アドホックネットワークシステムを含むことができる。
【００２０】
ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ（ＳＣ−ＦＤＭＡ）は、単一搬送波変調と周波数領域等化とを利用する。ＳＣ−ＦＤＭＡは、ＯＦＤＭＡシステムに類似する性能を有し、ＯＦＤＭＡシステムと本質的に同一の全体的な複雑さを有する。ＳＣ−ＦＤＭＡ信号は、その固有の単一搬送波構造のゆえに、より低いピーク対平均電力比（peak-to-average power ratio）（ＰＡＰＲ）を有することができる。ＳＣ−ＦＤＭＡを、たとえば、より低いＰＡＰＲが送信電力効率に関してＵＥに大きい利益を与える場合にアップリンク通信に使用することができる。したがって、ＳＣ−ＦＤＭＡを、３ＧＰＰのＬｏｎｇ  Ｔｅｒｍ  Ｅｖｏｌｕｔｉｏｎ（ＬＴＥ）またはＥｖｏｌｖｅｄ  ＵＴＲＡでアップリンク多元接続方式として実施することができる。
【００２１】
さまざまな実施形態を、本明細書でＵＥに関連して説明する。ＵＥを、システム、加入者ユニット、加入者ステーション、移動局、モバイル、リモートステーション、リモート端末、モバイルデバイス、アクセス端末、ワイヤレス通信デバイス、ユーザエージェント、またはユーザデバイスと呼ぶこともできる。ＵＥを、セルラ電話機、コードレス電話機、Ｓｅｓｓｉｏｎ  Ｉｎｉｔｉａｔｉｏｎ  Ｐｒｏｔｏｃｏｌ（ＳＩＰ）電話機、ｗｉｒｅｌｅｓｓ  ｌｏｃａｌ  ｌｏｏｐ（ＷＬＬ）ステーション、携帯情報端末（ＰＤＡ）、ワイヤレス接続機能を有するハンドヘルドデバイス、コンピューティングデバイス、またはワイヤレスモデムに接続された他の処理デバイスとすることができる。さらに、さまざまな実施形態を、アクセスポイント（ＡＰ）に関連して本明細書で説明する。ＡＰを、ＵＥとの通信に利用することができ、基地局（ＢＳ）、フェムトノード、ピコノード、Ｎｏｄｅ  Ｂ、Ｅｖｏｌｖｅｄ  Ｎｏｄｅ  Ｂ（ｅＮｏｄｅＢ、ｅＮＢ）、または他の用語法と呼ぶこともできる。
【００２２】
さらに、用語「ｏｒ（または／もしくは／あるいは）」は、排他的な「ｏｒ」ではなく包含的な「ｏｒ」を意味することが意図されている。すなわち、そうではないと指定されない限り、または文脈から明白でない限り、句「Ｘ  ｅｍｐｌｏｙｓ  Ａ  ｏｒ  Ｂ（ＸはＡまたはＢを使用する）」は、自然な包含的な組合せのすべてを意味することが意図されている。すなわち、句「Ｘ  ｅｍｐｌｏｙｓ  Ａ  ｏｒ  Ｂ」は、Ｘ  ｅｍｐｌｏｙｓ  Ａ（ＸはＡを使用する）、Ｘ  ｅｍｐｌｏｙｓ  Ｂ（ＸはＢを使用する）、またはＸ  ｅｍｐｌｏｙｓ  ｂｏｔｈ  Ａ  ａｎｄ  Ｂ（ＸはＡとＢとの両方を使用する）のいずれによっても満足される。さらに、冠詞「ａ」と「ａｎ」とは、本願および添付の特許請求の範囲で使用される時に、そうではないと指定されない限り、または文脈から単数形を対象とすることが明白でない限り、一般に「ｏｎｅ  ｏｒ  ｍｏｒｅ（１つまたは複数）」を意味すると解釈されなければならない。
【００２３】
本明細書で説明されるさまざまな態様または特徴を、標準的なプログラミング技法および／または工学技法を使用して方法、装置、または製造品として実施することができる。用語「製造品」は、本明細書で使用される時に、任意のコンピュータ可読デバイス、搬送波、または媒体からアクセス可能なコンピュータプログラムを含むことが意図されている。たとえば、コンピュータ可読媒体は、磁気ストレージデバイス（たとえば、ハードディスク、フロッピディスク、磁気ストリップ）、光ディスク（たとえば、コンパクトディスク（ＣＤ）、ディジタル多用途ディスク（ＤＶＤ））、スマートカード、およびフラッシュメモリデバイス（たとえば、ＥＰＲＯＭ、カード、スティック、キードライブ）などの固定記憶媒体を含むことができるが、これらに限定はされない。さらに、本明細書で説明されるさまざまな記憶媒体は、情報を格納する１つまたは複数のデバイスおよび／または他の機械可読媒体を表すことができる。用語「機械可読媒体」は、コードおよび／または命令（１つまたは複数）および／またはデータを格納し、含み、かつ／または搬送することのできる記憶媒体および／またはさまざまな媒体を含むことができる。
【００２４】
いくつかの態様で、本明細書の教示を、マクロスケールカバレージ（たとえば、通常はマクロセルネットワークと呼ばれる、３Ｇネットワークなどの大エリアセルラネットワーク）およびより小さいスケールのカバレージ（たとえば、住居ベースのまたはビルディングベースのネットワーク環境）を含むネットワーク内で使用することができる。ＵＥは、そのようなネットワークを通って移動する。ある場所で、ＵＥに、マクロカバレージを提供するＡＰによってサービスすることができ、他の場所で、ＵＥに、より小さいスケールのカバレージを提供するＡＰによってサービスすることができる。いくつかの態様では、より小さいカバレージのノードを、増分容量増加と、ビルディング内カバレージと、異なるサービス（たとえば、より頑健なユーザ経験のための）とを提供するのに使用することができる。本明細書の議論では、比較的大きいエリアにわたるカバレージを提供するノードを、マクロノードと呼ぶ場合がある。比較的小さいエリア（たとえば、住居）にわたるカバレージを提供するノードを、フェムトノードと呼ぶ場合がある。マクロエリアより小さく、フェムトエリアより大きいエリアにわたるカバレージを提供するノードを、ピコノード（たとえば、商業ビルディング内でカバレージを提供する）と呼ぶ場合がある。
【００２５】
マクロノード、フェムトノード、またはピコノードに関連するセルを、それぞれマクロセル、フェムトセル、またはピコセルと呼ぶ場合がある。いくつかの実施態様では、各セルを、さらに、１つまたは複数のセクタに関連付ける（たとえば、分割する）ことができる。
【００２６】
さまざまな応用例では、他の用語法を使用して、マクロノード、フェムトノード、またはピコノードを参照することができる。たとえば、マクロノードを、ＢＳ、アクセスポイント、ｅＮｏｄｅＢ、マクロセルなどとして構成し、またはそう呼ぶことができる。また、フェムトノードを、Ｈｏｍｅ  ＮｏｄｅＢ、Ｈｏｍｅ  ｅＮｏｄｅＢ、アクセスポイントアクセスノード、ＢＳ、フェムトセルなどとして構成し、またはそう呼ぶことができる。
【００２７】
ここで図１を参照すると、本明細書で提示されるさまざまな実施形態によるワイヤレス通信システム１００が示されている。システム１００は、複数のアンテナグループを含むことができるＢＳ  １０２を含む。たとえば、１つのアンテナグループは、アンテナ１０４と１０６とを含むことができ、別のグループは、アンテナ１０８と１１０とを備えることができ、追加のグループは、アンテナ１１２と１１４とを含むことができる。２つのアンテナが、アンテナグループごとに示されているが、グループごとにより多数またはより少数のアンテナを利用することができる。ＢＳ  １０２は、さらに、送信ノードチェーンと受信ノードチェーンとを含むことができ、送信ノードチェーンと受信ノードチェーンとのそれぞれは、当業者が了解するように、信号送信と信号受信とに関連する複数のコンポーネント（たとえば、プロセッサ、変調器、マルチプレクサ、復調器、デマルチプレクサ、アンテナ）を備えることができる。
【００２８】
ＢＳ  １０２は、ＵＥ  １１６および１２２などの１つまたは複数のＵＥと通信することができる。しかし、ＢＳ  １０２が、ＵＥ  １１６と１２２とに類似する、実質的に任意の台数のＵＥと通信できることを了解されたい。ＵＥ  １１６と１２２とは、たとえば、セルラ電話機、スマートホン、ラップトップ機、ハンドヘルド通信デバイス、ハンドヘルドコンピューティングデバイス、衛星ラジオ、全地球測位システム、ＰＤＡ、および／またはワイヤレス通信システム１００を介して通信するための任意の他の適切なデバイスとすることができる。図示されているように、ＵＥ  １１６は、アンテナ１１２および１１４と通信し、アンテナ１１２と１１４とは、ＤＬ  １１８を介してＵＥ  １１６に情報を送信し、ＵＬ  １２０を介してＵＥ  １１６から情報を受信する。さらに、ＵＥ  １２２は、アンテナ１０４および１０６と通信し、アンテナ１０４と１０６とは、ＤＬ  １２４を介してＵＥ  １２２に情報を送信し、ＵＬ  １２６を介してＵＥ  １２２から情報を受信する。たとえば、周波数分割複信（ＦＤＤ）システムでは、ＤＬ  １１８は、ＵＬ  １２０によって使用されるものとは異なる周波数帯を利用することができ、ＤＬ  １２４は、ＵＬ  １２６によって使用されるものとは異なる周波数帯を使用することができる。さらに、時分割複信（ＴＤＤ）システムでは、ＤＬ  １１８とＵＬ  １２０とが、共通の周波数帯を利用することができ、ＤＬ  １２４とＵＬ  １２６とが、共通の周波数帯を利用することができる。
【００２９】
基地局１０２は、ＤＬ  １２４上でＵＥ  １１６と１２２とにシステム情報を送信することができる。制御チャネルとデータチャネルとの復号に使用できるシステム情報は、他のセルからの干渉をこうむりがちである可能性がある。システム１００は、チャネル復号の信頼性を高める。一実施形態では、ＵＥ  １１６と１２２とを、制御チャネル情報のブラインド復号（blind decoding）に関連する誤警報を検出するように構成することができる。本明細書で使用される時に、「誤警報」は、ＵＥ  １１６と１２２とが、正しくない仮説であるがそれに関するエラー検査が正しく正確な復号を示す仮説を用いて制御チャネルのブラインド復号を実行するイベントを指すことができる。たとえば、ＵＥ  １１６と１２２とは、１０ｍｓ無線フレーム境界だけがわかっている時に４０ｍｓの送信時間間隔（transmission time interval）（ＴＴＩ）を有する物理ブロードキャストチャネル（ＰＢＣＨ）のブラインド復号を実行することができる。ＰＢＣＨを復号するために、ＵＥ  １１６と１２２とは、複数のＴＴＩ境界（たとえば、４つ）を仮定するか、複数のチャネル復号仮説を設けることができる。エラー検査にかかわらず、いくつかの場合に、制御情報が破壊され、誤警報をもたらす可能性がある。本明細書で説明される方法は、高められた復号信頼性のためにそのような誤警報の拒絶を可能にすることができる。
【００３０】
図２は、本明細書で示されるさまざまな態様による、１つまたは複数のフェムトノードが展開される例示的なワイヤレス通信システムの図である。システム２００は、広域ネットワーク２４０と、フェムトセル２３０と、マクロセルアクセスノード２６０と、モバイルオペレータコアネットワーク２５０とを含む異種ネットワークである。具体的には、システム２００は、比較的小さいスケールのネットワーク環境内（たとえば、１つまたは複数のユーザ住居２３０内）に設置された複数のフェムトノード２１０（たとえば、フェムトノード２１０Ａと２１０Ｂと）を含む。各フェムトノード２１０を、ＤＳＬルータ、ケーブルモデム、ワイヤレスリンク、または他の接続性手段（図示せず）を介して広域ネットワーク２４０（たとえば、インターネット）とモバイルオペレータコアネットワーク２５０とに結合することができる。下で述べるように、各フェムトノード２１０を、関連するＵＥ（たとえば、関連するＵＥ  ２２０Ａ）とオプションでエイリアンＵＥ（alien UE）（たとえば、エイリアンＵＥ  ２２０Ｂ）とにサービスするように構成することができる。言い換えると、フェムトノード２１０へのアクセスを制限することができ、これによって、所与のＵＥ  ２２０に、指定された（たとえば、ホーム）フェムトノード（１つまたは複数）２１０のセットによってサービスできるが、任意の指定されないフェムトノード２１０（たとえば、近傍のフェムトノード２１０）によってサービスできなくなる。
【００３１】
さまざまな実施形態で、関連するＵＥ  ２２０Ａは、エイリアンＵＥ  ２２０Ｂにサービスするフェムトノード２１０からのＤＬ上での干渉を経験する可能性がある。同様に、関連するＵＥ  ２２０Ａに関連するフェムトノード２１０は、エイリアンＵＥ  ２２０ＢからのＵＬ上での干渉を経験する可能性がある。異種ネットワークを用いると、隣接するセル（たとえば、フェムトセルまたはピコセル）からの干渉の可能性もある。したがって、制御チャネルとデータチャネルとの復号が、むずかしくなる可能性がある。前述の説明が、フェムトノードを参照して提供されたが、この説明が、ピコノードおよびより大きいカバレージエリアにも適用可能であることを了解されたい。
【００３２】
物理ブロードキャストチャネル（ＰＢＣＨ）は、復号に影響する可能性がある干渉によっても影響され得る、時間に敏感な情報を伝える可能性がある。たとえば、ＵＥ  ２２０Ａと２２０Ｂとが、ＢＳ  １０２からＰＢＣＨを受信することを試みる場合がある。ＰＢＣＨ誤警報の発生は、時間に敏感な制御チャネルとデータチャネルとを正しく復号する尤度を下げる可能性がある。一例として、１６ビット巡回冗長検査（ＣＲＣ）を使用し、１無線フレーム当たりに実行される１２個のブラインド復号動作（４つの冗長性値（ＲＶ）インデックスと３つの送信（ＴＸ）アンテナとに対応する）を仮定すると、１つの誤警報が、少なくとも、約５５秒おきとすることができる２16／１２＝５４６１個の無線フレームおきに１回発生すると期待することができる。
【００３３】
特にＰＢＣＨ送信をブラインド復号する時の、復号信頼性を改善するために、本明細書で説明される実施形態は、下で図３Ａを参照して説明されるものなどのＰＢＣＨ復号モジュール３２０と３３０とを提供することができる。ＰＢＣＨ復号モジュール３２０と３３０とを、強い干渉環境に頑健になるように構成することができる。図３Ａは、本明細書で示されるさまざまな態様による、信頼できるチャネル復号のためのワイヤレス通信システムの例のブロック図の図である。ＢＳ  ３０２と３２２とは、本明細書で説明されるデータおよび／または制御情報をそれぞれ送信または受信し、処理し、格納するために、それぞれトランシーバ３０６および３２６とプロセッサ３０８および３２８とメモリ３１０および３３０とを含むことができる。いくつかの実施形態では、ＢＳ  ３０２と３２２とは、ＵＥ  ３０４と３２４とによって後に復号できる（ブラインド復号技法を含む）データおよび／または制御情報の符号化を実行することができる。
【００３４】
ＢＳ  ３０２と３２２とは、ＢＳ物理ブロードキャストチャネルモジュール３１２と３３２とを含むこともできる。ＢＳ物理ブロードキャストチャネルモジュール３１２と３３２とを、ブラインド復号を介してＵＥ  ３０４と３２４とによって獲得されるデータおよび／または制御情報を準備するように構成することができる。たとえば、ＢＳ物理ブロードキャストチャネルモジュール３１２と３３２とは、帯域幅フィールド、予約済みフィールド、システムフレーム番号（ＳＦＮ）などを含むペイロードを準備することができる。いくつかの構成では、冗長性バージョン（ＲＶ）情報を、コーディングされたビット内で搬送することができ、ここで、符号化されたビットシーケンスの異なるセグメントは、異なる無線フレーム内で送信される。さらに、巡回冗長検査の情報を、完全性検査をサポートするために追加することができる。
【００３５】
さらなる例として、ＢＳ物理ブロードキャストチャネルモジュール３１２と３３２とは、チャネルの中央またはその付近のリソースブロックを使用するマスタ情報ブロック（Master Information Block）（ＭＩＢ）情報を含むことができる。この情報は、システム帯域幅およびアンテナ構成などを含むがこれに限定はされない任意の個数の異なるタイプの制御情報を伝えることができる。
【００３６】
いくつかの実施形態では、ＰＢＣＨに対する準備と処理とを、次のようにすることができる。ＰＢＣＨは、７２個の中心副搬送波を介してすなわち帯域の中心で１．０８ＭＨｚの周波数スパンを用いて送信できる１６ビットＣＲＣを含む４０ビットのペイロードを含むことができる。たとえば、ＰＢＣＨは、ＤＬシステム帯域幅（３ビット）、物理ハイブリッド自動再送要求インジケータチャネル（ＰＨＩＣＨ）持続時間（１ビット）、ＰＨＩＣＨグループの個数（２ビット）、およびシステムフレーム番号（ＳＦＮ）（８ビット）などの物理層パラメータを搬送することができる。ペイロード内の残りの１０ビットは、将来の使用のために予約済みとすることができる。ＰＨＩＣＨ持続時間フィールドには、通常のＰＨＩＣＨ持続時間（１ＯＦＤＭシンボル）について０がセットされ、延長されたＰＨＩＣＨ持続時間（３ＯＦＤＭシンボル）について１がセットされる。ＳＦＮフィールドは、１０ビットシステムフレーム番号の８つの最上位ビット（ＭＳＢ）を含む。１０ビットＳＦＮの他の２つの最下位ビット（ＬＳＢ）は、４０ｍｓフレーム長を有するＰＢＣＨを復号することによって知ることができる。
【００３７】
ＰＢＣＨ情報を、４０ｍｓ  ＴＴＩを有する各プリアンブル上で搬送することができる。プリアンブル内では、第２のスロット内の最初の４つのＯＦＤＭシンボルを、ＰＢＣＨ専用とすることができる。ＰＢＣＨ送信では、すべてのＲＳトーンを、送信アンテナの個数に関わりなく予約することができる。したがって、プリアンブルごとのＰＢＣＨトーンの個数は、７２×４−（２４×２）＝２４０であり、これを、１ＴＸと２ＴＸと４ＴＸとの場合について同一とすることができる。
【００３８】
ＢＳ  ３０２と３２２とからの送信の前に、１６ビットＣＲＣを、２４ビットのＰＢＣＨ情報にアタッチすることができ、その後、組み合わされた４０ビットを、１２０ビットの符号語を生成するためにテールバイティング（tail-biting）畳み込み符号（ＴＢＣＣ）に基づいて符号化することができる。３２カラムインターリーブ動作の後に、レートマッチング（rate matching）が、繰返しコーディング（repetition coding）を実施するために環状バッファを使用することによって実行され、その後、２進スクランブリングとＱｕａｄｒａｔｕｒｅ  Ｐｈａｓｅ  Ｓｈｉｆｔ  Ｋｅｙｉｎｇ（ＱＰＳＫ）変調とが行われる。２つまたは４つの送信アンテナを用いて、Ｓｐａｃｅ−Ｆｒｅｑｕｅｎｃｙ  Ｂｌｏｃｋ−Ｃｏｄｅ（ＳＦＢＣ）またはＳＦＢＣ−Ｆｒｅｑｕｅｎｃｙ  Ｓｗｉｔｃｈｉｎｇ  Ｔｒａｎｓｍｉｔ  Ｄｉｖｅｒｓｉｔｙ（ＦＳＴＤ）符号化が、それぞれ追加され、シンボルシーケンスは、最終的に、プリアンブル内で対応するトーンにマッピングされ、ＯＦＤＭ変調器を通過する。
【００３９】
さまざまな実施形態では、ＢＳ物理ブロードキャストチャネルモジュール３１２と３３２とを、全体的に本明細書で説明される方法および／または実施形態の１つまたは複数の態様を実行するように構成することができる。いくつかの実施形態では、ＢＳ物理ブロードキャストチャネルモジュール３１２と３３２とが、１つまたは複数のシステムまたはその電気コンポーネントを含むことができる。
【００４０】
ＵＥ  ３０３と３２３とは、本明細書で説明するデータおよび／または制御情報をそれぞれ送信または受信し、処理し、格納するために、それぞれトランシーバ３１４および３３４と、プロセッサ３１６および３３６と、メモリ３１８および３３８とを含むことができる。ＵＥ  ３０３と３２３とは、ＰＢＣＨ復号モジュール３２０と３３０とを含むこともできる。
【００４１】
ＰＢＣＨ復号モジュール３２０と３３０とを、方法４００、４５０、５００、６００、および／または本明細書で全体的に説明される実施形態の１つまたは複数のステップを実行するように構成することができる。いくつかの実施形態では、ＰＢＣＨ復号モジュール３２０と３３０とは、１つまたは複数のシステム８００または８２０あるいはその電気コンポーネントを含むことができる。
【００４２】
いくつかの実施形態では、ＰＢＣＨ復号モジュール３２０と３３０とを、本明細書で説明されるように、ブラインド復号および／または仮説テストを実行するように構成することができる。信頼性を改善し、誤警報を減らすために、本明細書で説明される実施形態は、図３Ａを参照して下で説明するものなどのＰＢＣＨ復号モジュール３２０と３３０とを提供することができる。ＰＢＣＨ復号モジュール３２０と３３０とを、強い干渉環境に頑健になるように構成することができる。
【００４３】
一実施形態では、ＰＢＣＨ復号モジュール３２０と３３０とを、チャネル復号を実行するように構成することができる。いくつかの態様では、フレーム境界を検出するためのブラインド復号を、ＰＢＣＨの初期獲得のために実行することができる。たとえば、最初にＰＢＣＨを獲得する時に、送信アンテナの個数が未知である場合があり、したがって、ブラインド復号が実行される場合がある。いくつかの場合に、複数の仮説を、ＰＢＣＨのブラインド復号についてテストすることができる（たとえば、合計１２個の復号仮説について、フレーム境界（ＲＶ  ０、１、２、または３）の４つの仮説かける送信アンテナの個数（１、２、または４）に関する３つの仮説）。
【００４４】
図３Ｂに、フロントエンドサンプルの初期獲得がサーチャサンプルサーバ（searcher sample server）から来、１２個の仮説を有するブラインド復号が実行される、ＰＢＣＨ復号モジュール３２０と３３０との例示的動作を示す。ＰＢＣＨの初期獲得を完了した後に、アクティブモードに入ることができる。フロントエンドサンプルがＰＢＣＨ処理のために収集され終えた時に、ＰＢＣＨデータトーンを抽出し、ＭＭＳＥ／ＭＲＣブロックに供給することができる。チャネル推定値および干渉共分散推定値を使用して、ＭＭＳＥ／ＭＲＣブロックは、複数の送信アンテナがある場合に、ＳＦＢＣ復号またはＳＦＢＣ−ＦＳＴＤ復号に関連してＭＲＣ組合せを実行することができる。各ビットの対数尤度比（ＬＬＲ）を計算した後に、ＬＬＲスクランブル解除を実行することができ、同一の符号語ビットのＬＬＲを、レートマッチング解除（de-rate matching）プロセスを介して一緒に組み合わせることができる。インターリーブ解除された符号語を、ビタビ復号器に供給することができ、オリジナル情報ビットが、ＣＲＣ検査とＣＲＣ除去との後に回復される。
【００４５】
ＭＭＳＥ／ＭＲＣ動作での空間処理に関して、ブラインド検出プロセスで仮説をテストすることによって識別される送信アンテナの個数に関する３つの可能性すなわち１と２と４とがある可能性がある。各仮説は、異なるＭＭＳＥ／ＭＲＣ動作を用いる可能性がある。単純さのために、２つの受信アンテナを有するＵＥを仮定する。
【００４６】
１つの送信アンテナ：１つの送信アンテナだけを用いて、受信器は、雑音白色化（noise whitening）の後に各受信アンテナからの受信信号に対して単純なＭＲＣ組合せを実行することができる。まず、ｒ［ｋ］すなわちトーンｋ上の受信信号ベクトルは、
【数１】
2013501426.tif 000003
【００４７】
と表される。
【００４８】
干渉共分散行列をＲnnによって表すものとし、Ｒnnは、干渉エスティメータブロックによって提供される。
【数２】
2013501426.tif 000004
【００４９】
最後に、ＭＲＣ組合せを実行して、次の信号をもたらす。
【数３】
2013501426.tif 000005
【数４】
2013501426.tif 000006
【００５０】
１つの送信アンテナを用いるＭＭＳＥ／ＭＲＣ動作のブロック図を、図３Ｃに示す。
【００５１】
１つの送信アンテナを用いるＭＲＣ手順の要約は、次の通りである。
【数５】
2013501426.tif 000007
【００５２】
２つの送信アンテナ：２×２ＳＦＢＣ：２つの送信アンテナを用いて、ＳＦＢＣを、ＰＢＣＨ送信について開ループ送信ダイバーシティを達成するのに利用することができる。２×２ＳＦＢＣ符号化に基づいて、２つのコーディングされたシンボルが、下に示すように２つの連続する周波数を使用して２つの送信アンテナを介して送信される。
【数６】
2013501426.tif 000008
【００５３】
次のベクトルＲ［ｋ］が、トーンｋ上とｋ＋１上との受信信号から作られる。
【数７】
2013501426.tif 000009
【数８】
2013501426.tif 000010
【数９】
2013501426.tif 000011
【００５４】
２つの送信アンテナを用いるＭＭＳＥ／ＭＲＣのブロック図を、図３Ｄに示す。
【数１０】
2013501426.tif 000012
【００５５】
４つの送信アンテナ：４×２ＳＦＢＣ−ＦＳＴＤ：４つの送信アンテナを用いて、ＰＢＣＨは、開ループ送信ダイバーシティを達成するためにＳＦＢＣ−ＦＳＴＤに基づいて配送される。４つの連続するトーンが、ＳＦＢＣ−ＦＳＴＤ送信のために一緒にグループ化される。インデックス４ｋと４ｋ＋１とを有するトーンの対について、送信アンテナ０と２とだけが、アクティブ化され、信号は、この２つの送信アンテナによって形成される２×２ＭＩＭＯチャネルを介してＳＦＢＣを使用することによって送信される。その一方で、インデックス４ｋ＋２と４ｋ＋３とを有するトーンの対について、送信アンテナ１と３とがイネーブルされ、ＳＦＢＣが、２×２ＭＩＭＯチャネルを介してデータを送信するために適用される。各送信アンテナ上のトーンの半数だけがデータを伝えるので、イネーブルされるトーン上の送信電力を、アンテナあたりの電力制約を満足しながら２倍にすることができる。
【数１１】
2013501426.tif 000013
【００５６】
上の行列は、ＳＦＢＣ−ＦＳＴＤの動作を示す。各行は、送信アンテナを示し、列は、トーンにマッピングされる。上のパターンが、すべてのトーンにまたがって繰り返される。
【００５７】
４つの送信アンテナを用いるＭＭＳＥ／ＭＲＣのブロック図を、図３Ｅに示す。
【数１２】
2013501426.tif 000014
【００５８】
４つの送信アンテナを用いるＭＭＳＥ／ＭＲＣ手順を、次のように要約することができる。
【００５９】
インデックス４ｋと４ｋ＋１とを有するトーンの対について、ＴＸアンテナ０と２とを使用してＳＦＢＣと同一の手順を実行し、
インデックス４ｋ＋２と４ｋ＋３とを有するトーンの対について、ＴＸアンテナ１と３とを使用してＳＦＢＣと同一の手順を実行する。
【００６０】
チャネルスクランブル解除：ＬＬＲは、レートマッチング解除とインターリーブ解除とを通過する前に、事前に決定されたランダムシーケンスによってスクランブル解除される。ＰＢＣＨスクランブル／スクランブル解除のための擬似乱数シーケンスは、長さ３１のゴールドシーケンスによって定義される。
【数１３】
2013501426.tif 000015
【００６１】
スクランブル解除動作は、シーケンスジェネレータからの対応する出力が「１」と等しい場合に各ＬＬＲに「−１」を乗算することである。ＰＢＣＨのチャネルレートマッチング動作およびインターリーブ動作は、下で説明する。もう１つの態様で、ＰＢＣＨのレートマッチング解除動作およびインターリーブ解除動作を詳細に説明する。
【００６２】
レートマッチング解除に関して、Ｅの長さを有するスクランブル解除されたＬＬＲシーケンスは、レートマッチング解除ブロックに入ることができる。Ｅの値を、ブラインド復号のためにテストされる仮説に関係付けることができる。この入力シーケンスの各ＬＬＲを、ｅk，ｋ＝０，１，…，Ｅ−１によって表す。ｅkは、Ｋwの長さを有するインターリーブされた符号語の繰り返される版を含むので、レートマッチング解除の最初の動作は、同一の符号語ビットに由来する複数のＬＬＲを組み合わせることである。組み合わされたＬＬＲシーケンスがｗk，ｋ＝０，１，…，Ｋw−１によって表される場合には、組合せ手順を、次のように記述することができる。
【数１４】
2013501426.tif 000016
【数１５】
2013501426.tif 000017
【００６３】
最後に、各ＬＬＲストリームをサブブロックデインターリーバに供給することができる。レートマッチング解除ブロックの全体的な動作を、図３Ｆに示す。
【数１６】
2013501426.tif 000018
【００６４】
次に、サブブロックインターリーブの逆動作を、次のように実行する。
【００６５】
（ａ）下のようにＲ×Ｃ＞ＫΠになるようにＲ×Ｃ行列を作る。この行列の列の個数Ｃは、３２であり、置換関数Ｐは、前のサブセクションで定義されている。次に、ＮD＝（Ｒ×Ｃ−ＫΠ）個のダミービットが、ｋ＝０，１，…，ＮD−１についてｙk＝＜ＮＵＬＬ＞になるように、最初の行に挿入される。
【数１７】
2013501426.tif 000019
【数１８】
2013501426.tif 000020
【数１９】
2013501426.tif 000021
【数２０】
2013501426.tif 000022
【００６６】
表１に、サブブロックデインターリーバの列間置換パターンを示す。
【表１】
2013501426.tif 000023
【数２１】
2013501426.tif 000024
【００６７】
具体的に言うと、ブラインド復号に関して、ＰＢＣＨは、４０ｍｓの送信時間間隔（ＴＴＩ）を有することができるが、ＰＢＣＨ復号の前には、１０ｍｓ無線フレーム境界だけが既知である可能性がある。したがって、最初のＰＢＣＨフレームを復号するために、ＰＢＣＨ復号モジュール３２０と３３０とは、次の４つの異なるＴＴＩ境界を仮定してＰＢＣＨのブラインド復号を実行することができる。
【００６８】
（ａ）現在の無線フレームがＲＶ０に対応すると仮定する。これは、４０ｍｓ  ＴＴＩの第１の無線フレームを意味し、ＲＶ０内の対数尤度比（ＬＬＲ）が組み合わされることを意味する。
【００６９】
（ｂ）現在の無線フレームがＲＶ１に対応すると仮定する。これは、４０ｍｓ  ＴＴＩの第２の無線フレームを意味し、ＲＶ０内とＲＶ１内との対数尤度比（ＬＬＲ）が組み合わされることを意味する。
【００７０】
（ｃ）現在の無線フレームがＲＶ２に対応すると仮定する。これは、４０ｍｓ  ＴＴＩの第３の無線フレームを意味し、ＲＶ０内とＲＶ１内とＲＶ２内との対数尤度比（ＬＬＲ）が組み合わされることを意味する。
【００７１】
（ｄ）現在の無線フレームがＲＶ３に対応すると仮定する。これは、４０ｍｓ  ＴＴＩの最後の無線フレームを意味し、ＲＶ０内とＲＶ１内とＲＶ２内とＲＶ３内との対数尤度比（ＬＬＲ）が組み合わされることを意味する。
【００７２】
また、送信アンテナの個数が、ＰＢＣＨ上で搬送され、したがって、最初のＰＢＣＨフレームを復号する時には、その情報は未知であり、これは、送信アンテナの個数１、２、または４に関する３つの異なる仮説を仮定するブラインド復号を必要とする。
【００７３】
したがって、最初のＰＢＣＨパケットを復号するためには、合計１２個の仮説を有するブラインド復号を、各１０ｍｓ無線フレームで実行する必要がある。各仮説は、ＣＲＣが合格するまで順次テストされる。１２個すべての仮説をテストした後にＣＲＣが合格しない場合には、テストは、もう一度最初の仮説から開始される。
【００７４】
各フレーム境界仮説が、表２にリストされているように異なる個数のＬＬＲを生成することに留意されたい。ＬＬＲは、４８０＊４＝１９２０ビットのサイズを有する環状バッファに順次格納される。１２個すべての仮説をテストした後にＣＲＣが合格しない場合には、新しい無線フレームからのＬＬＲが、環状バッファ内の最も古い４８０個のＬＬＲを上書きする。
【００７５】
表２に、ＰＢＣＨブラインド復号のための仮説をリストする
【表２】
2013501426.tif 000025
【数２２】
2013501426.tif 000026
【数２３】
2013501426.tif 000027
【００７６】
（ａ）行列の列の数になるようにＣ＝３２を割り当てる。行列の列は、左から右へ０、１、２、…、Ｃ−１という番号を付けられる。
【００７７】
（ｂ）ＫΠ≦（Ｒ×Ｃ）になる最小の整数Ｒを見つけることによって行列の列の個数Ｒを判定する。長方形行列の行は、上から下へ０、１、２、…、Ｒ−１という番号を付けられる。
【００７８】
（ｃ）Ｒ×Ｃ＞Ｄの場合には、ｋ＝０，１，…，ＮD−１についてｙk＝＜ＮＵＬＬ＞になるように、ＮD＝（Ｒ×Ｃ−Ｄ）個のダミービットをパディングする。
【数２４】
2013501426.tif 000028
【００７９】
（ｄ）表３に示されたパターン〈Ｐ（ｊ）〉j∈{0,1,…,C-1}に基づいて行列の列間置換を実行し、ここで、Ｐ（ｊ）は、ｊ番目に置換される列のオリジナル列位置である。列の置換の後に、列間置換されたＲ×Ｃ行列は、
【数２５】
2013501426.tif 000029
【００８０】
と等しくなる。
【００８１】
（ｅ）ブロックインターリーバの出力は、列間置換されたＲ×Ｃ行列から列ごとに読み出されたビットシーケンスである。
【数２６】
2013501426.tif 000030
【００８２】
表３に、サブブロックインターリーバの列間置換パターンを示す。
【表３】
2013501426.tif 000031
【００８３】
インターリーブ動作の後に、長さＫw＝３ＫΠの環状バッファが、次のように生成される。
【数２７】
2013501426.tif 000032
【００８４】
Ｅによって、このコーディングされたブロックのレートマッチング出力シーケンス長を表すと、レートマッチング出力ビットシーケンスは、ｅk，ｋ＝０，１，…，Ｅ−１である。
【数２８】
2013501426.tif 000033
【００８５】
図４Ａと４Ｂとは、図３のＰＢＣＨ復号モジュール３２０と３３０とが本明細書で示されるさまざまな態様による信頼できるチャネル復号のために実行できる例示的な方法の流れ図である。いくつかの実施形態では、方法４００は、ワイヤレスネットワークに関連するシステム情報を入手するために現在の無線フレームのブロードキャストチャネルを復号すること４１０を含むことができる。ブロードキャストチャネルの復号は、いくつかの実施形態で、複数の仮説をテストすることを含むことができる。
【００８６】
方法４００は、現在の無線フレームのシステム情報を前の無線フレームから入手されたシステム情報と比較すること４２０を含むこともできる。いくつかの実施形態で、この比較は、ブロードキャストチャネルの復号に関連する巡回冗長検査（ＣＲＣ）に合格することに応答して開始される。方法４００は、比較の結果に少なくとも部分的に基づいて現在の無線フレームのシステム情報を選択的に拒絶すること４３０を含むこともできる。
【００８７】
いくつかの実施形態では、システム情報は、帯域幅（ＢＷ）インジケータを備え、現在の無線フレームのシステム情報は、現在の無線フレームのＢＷインジケータが前の無線フレームのＢＷインジケータと一致しない時に拒絶される。いくつかの実施形態では、現在の無線フレームからのシステム情報は、前のフレームに関連するシステムフレーム番号（ＳＦＮ）に少なくとも部分的に基づいて選択的に拒絶される。
【００８８】
いくつかの実施形態では、システム情報は、ＲＶインデックスを備え、現在のフレームのシステム情報を前の無線フレームからのシステム情報と比較することは、現在の無線フレームに関連する第１のＲＶインデックスを前の無線フレームから判定された期待されるＲＶインデックスと比較することを含む。この実施形態では、第１のＲＶが期待されるＲＶと一致しない時に、現在の無線フレームのシステム情報を拒絶することができる。
【００８９】
ここで図４Ｂに移ると、方法４５０は、物理ブロードキャストチャネル（ＰＢＣＨ）を備えるダウンリンク信号を受信すること４６０を含むことができる。
【００９０】
方法４５０は、第１の復号されたＰＢＣＨペイロードを入手するためにＰＢＣＨを復号すること４７０を含むこともできる。最初の復号されたＰＢＣＨペイロードについて成功の巡回冗長検査が達成されるまで、ＰＢＣＨの復号を実行することができる。いくつかの実施形態では、ブラインド復号が、複数の仮説に従って実行される。
【００９１】
方法４５０は、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出すること４８０を含むこともできる。いくつかの実施形態で、エラー条件の検出は、第１の復号されたＰＢＣＨペイロードに関連するＢＷフィールドが、第２の復号されたＰＢＣＨペイロードに関連するＢＷフィールドと一致しないことを判定することを含む。いくつかの実施形態で、エラー条件の検出は、第１の復号されたペイロードに関連するＢＷフィールドと第１の復号されたＰＢＣＨペイロードに関連する予約済みビットとが、それぞれ第２の復号されたＰＢＣＨペイロードに関連するＢＷフィールドおよび第２の復号されたＰＢＣＨペイロードに関連する予約済みビットと一致しないことを判定することを含む。
【００９２】
いくつかの実施形態では、エラー条件の検出は、第１の復号されたＰＢＣＨペイロードに関連するシステムフレーム番号が、第１の復号されたＰＢＣＨペイロードに関連するフレームと第２の復号されたＰＢＣＨペイロードに関連するフレームとの間のＰＢＣＨフレームの不正な個数を示すことを判定することを備える。いくつかの実施形態では、エラー条件の検出は、現在の無線フレームのＲＶインデックスが、ＰＢＣＨの既知のフレーム境界に関する期待値と矛盾することを判定することを含む。いくつかの実施形態では、エラー条件の検出は、ＰＣＦＩＣＨ値が期待される物理ハイブリッドＡＲＱインジケータ（ＰＨＩＣＨ）持続時間と矛盾することを判定することを備える。たとえば、ＰＣＦＩＣＨ値が１または２であることがわかっている場合に、１ＯＦＤＭシンボルの「正常な」ＰＨＩＣＨ持続時間を期待することができる。方法４５０は、エラー条件の検出に応答して第１の復号されたＰＢＣＨペイロードを拒絶すること４９０を含むこともできる。
【００９３】
いくつかの実施形態では、復号は、複数の無線フレームにまたがって実行され、第１の復号されたＰＢＣＨペイロードに関係するエラー条件の検出は、第１の復号されたＰＢＣＨペイロードの巡回冗長検査が複数の無線フレームのうちの第１の無線フレームに関する復号中に許容可能であるかどうかと、第１の復号されたＰＢＣＨペイロードに関連するＲＶインデックスが選択された値未満であるかどうかとを判定することを含むことができる。これは、第１の復号されたＰＢＣＨペイロードのＣＲＣが複数の無線フレームのうちの第１の無線フレームの復号中に許容可能であることの判定に応答して第１の復号されたＰＢＣＨペイロードを格納することを含むことができる。この方法は、第１の復号されたＰＢＣＨペイロードのＣＲＣが複数の無線フレームのうちの第１の無線フレームより時間的に後に受信された複数の無線フレームのうちの第２の無線フレームの復号中に許容可能であるかどうかを判定することを含むこともできる。
【００９４】
いくつかの実施形態では、方法４５０は、第１の復号されたＰＢＣＨペイロードのＣＲＣが複数の無線フレームのうちの第２の無線フレームに関する復号中に許容可能であり、条件が満足されることの判定に応答して、第１の復号されたＰＢＣＨペイロードを受け入れること（図示せず）を含むこともできる。条件は、第１の復号されたＰＢＣＨペイロードに関連するＲＶインデックスが、選択された値＋１を示す値であり（複数の無線フレームのうちの第１の無線フレームが複数の無線フレームのうちの第２の無線フレームの直前である時）、第１の復号されたＰＢＣＨペイロードが第２の復号されたＰＢＣＨペイロードと一致することを判定することを含むことができる。たとえば、連続する無線フレームのＲＶインデックスは、１つだけ異なると期待することができる。
【００９５】
いくつかの実施形態では、方法４５０は、条件が満足されない時に、第１の復号されたＰＢＣＨペイロードのＣＲＣが複数の無線フレームのうちの第２の無線フレームに関する復号中に許容可能であることの判定に応答して、第２の復号されたＰＢＣＨペイロードを破棄すること（図示せず）と、第１の復号されたＰＢＣＨペイロードを格納することとを含むこともできる。たとえば、破棄することは、メモリ位置を解放することを含むことができ、格納することは、メモリ位置を割り当てることを含むことができる。条件は、第１の復号されたＰＢＣＨペイロードに関連するＲＶインデックスが選択された値＋１を示す値である（複数の無線フレームのうちの第１の無線フレームが複数の無線フレームのうちの第２の無線フレームの直前である時）かどうかと、第１の復号されたＰＢＣＨペイロードが第２の復号されたＰＢＣＨペイロードと一致するかどうかとを含むことができる。
【００９６】
いくつかの実施形態では、方法４５０は、第１の復号されたＰＢＣＨペイロードのＣＲＣが複数の無線フレームのうちの第２の無線フレームの復号中に許容可能ではないことの判定に応答して第１の復号されたＰＢＣＨペイロードを破棄すること（図示せず）を含むこともできる。
【００９７】
いくつかの実施形態では、復号は、複数の無線フレームにまたがって実行される。その場合に、第１の復号されたＰＢＣＨペイロードに関係するエラー条件の検出は、複数の復号されたペイロードのプリアンブルに対する複数のＣＲＣを比較することを含むことができる。第１の復号されたＰＢＣＨペイロードを、複数の復号されたペイロードのうちの１つとすることができる。この方法は、複数の復号されたペイロードのうちの複数が、許容可能であるＣＲＣに関連することの判定に応答して、復号中の最も多数のＣＲＣ合格に関連する１つまたは複数の復号されたペイロードを選択することを含むこともできる。この方法は、許容可能なペイロードのうちで、最も多数のＣＲＣ合格に関連するペイロードおよび／または最大のＲＶインデックスに関連するペイロードを選択することを含むことができる。
【００９８】
図５は、本明細書で示されるさまざまな態様による、信頼できるチャネル復号の方法の流れ図である。
【００９９】
５１０では、方法５００は、物理ブロードキャストチャネルを備えるダウンリンク送信を受信することを含むことができる。５２０では、方法５００は、物理ブロードキャストチャネルをブラインド復号することを含むことができる。いくつかの実施形態で、物理ブロードキャストチャネルのブラインド復号は、復号されたペイロードについて成功の巡回冗長検査が達成されるまで実行され、以前に成功して復号されたペイロードを復号されたペイロードと比較することを備える。
【０１００】
ブラインド復号を、複数の無線フレームにまたがって実行することができ、ブラインド復号は、誤警報が復号されたペイロードに関連するかどうかを判定することを含むことができる。これは、第１の復号されたペイロードのＣＲＣが、複数の無線フレームのうちの第１の無線フレームに関するブラインド復号中に許容可能であるかどうかと、第１の復号されたペイロードに関連するＲＶインデックスが選択された値未満であるかどうかとを判定することを含むことができる。この方法は、第１の復号されたペイロードのＣＲＣが複数の無線フレームのうちの第１の無線フレームに関するブラインド復号中に許容可能であることの判定に応答して第１の復号されたペイロードを格納することと、復号されたペイロードのＣＲＣが複数の無線フレームのうちの第２の無線フレームに関するブラインド復号中に許容可能であるかどうかを判定することとを含むこともできる。複数の無線フレームのうちの第２の無線フレームを、複数の無線フレームのうちの第１の無線フレームより時間的に後に受信することができる。
【０１０１】
いくつかの実施形態では、ＲＶインデックスの選択された値を、３未満の値とすることができる。いくつかの実施形態では、選択された値を、０、１、または２のうちの少なくとも１つとすることができる。いくつかの実施形態では、選択された値を、１または２のうちの少なくとも１つとすることができる。
【０１０２】
５３０では、方法５００は、誤警報が復号されたペイロードに関連するかどうかを判定することを含むことができる。いくつかの実施形態では、誤警報が復号されたペイロードに関連するかどうかの判定は、違反条件を識別することを備える。いくつかの実施形態では、違反条件は、以前に成功して復号されたペイロードに関連する第１のＢＷフィールドが、復号されたペイロードに関連する第２のＢＷフィールドと同一ではない時に発生する。
【０１０３】
いくつかの実施形態では、違反条件は、以前に成功して復号されたペイロードに関連する第１のＢＷフィールドと以前に成功して復号されたペイロードに関連する第１の予約済みビットとが、それぞれ復号されたペイロードに関連する第２のＢＷフィールドおよび復号されたペイロードに関連する第２の予約済みビットと同一ではない時に発生する。
【０１０４】
いくつかの実施形態では、違反条件は、復号されたペイロードに関連するシステムフレーム番号が、復号されたペイロードに関連するフレームと以前に成功して復号されたペイロードに関連するフレームとの間の物理ブロードキャストチャネルフレームの不正な個数を示す時に発生する。
【０１０５】
いくつかの実施形態では、違反条件は、ＲＶインデックスが、物理ブロードキャストチャネルの既知のフレーム境界に関する期待値と矛盾する時に発生する。
【０１０６】
いくつかの実施形態では、違反条件は、物理制御フォーマットインジケータチャネル（physical control format indicator channel）（ＰＣＦＩＣＨ）値が期待される物理ＨＡＲＱインジケータチャネル（ＰＨＩＣＨ）持続時間と矛盾する時に発生する。いくつかの実施形態では、ＰＣＦＩＣＨ値は、ＰＣＦＩＣＨ値が１または２であり、ＰＨＩＣＨ持続時間が１ＯＦＤＭシンボル以外である時に、矛盾する。たとえば、ＰＣＦＩＣＨ値が既知であり、物理制御フォーマットインジケータチャネルが１または２である場合には、１ＰＨＩＣＨ  ＯＦＤＭシンボルの「正常な」ＰＨＩＣＨ持続時間が存在しなければならない。さもなければ、違反条件を検出することができる。
【０１０７】
５４０では、方法５００は、誤警報が復号されたペイロードに関連することの判定に応答して、復号されたペイロードを拒絶することを含むことができる。
【０１０８】
いくつかの実施形態では、方法５００は、復号されたペイロードのＣＲＣが複数の無線フレームのうちの第２の無線フレームのブラインド復号中に許容可能であり、条件が満足されることの判定に応答して、復号されたペイロードを受け入れることを含むステップ（図示せず）を含むこともできる。条件は、復号されたペイロードに関連するＲＶインデックスが、選択された値＋１を示す値を有し（複数の無線フレームのうちの第１の無線フレームが、複数の無線フレームのうちの第２の無線フレームの直前である場合）、復号されたペイロードが第１の復号されたペイロードと一致するという条件を含むことができる。
【０１０９】
いくつかの実施形態では、ＲＶインデックスの選択された値を、３未満の値とすることができる。いくつかの実施形態では、選択された値を、０、１、または２のうちの少なくとも１つとすることができる。いくつかの実施形態では、選択された値を、１または２のうちの少なくとも１つとすることができる。
【０１１０】
いくつかの実施形態では、方法５００は、復号されたペイロードのＣＲＣが、複数の無線フレームのうちの第２の無線フレームのブラインド復号中に許容可能であり、条件が満足されないことの判定に応答して、第１の復号されたペイロードを破棄することと復号されたペイロードを格納することとを含むステップ（図示せず）を含むことができる。条件は、復号されたペイロードに関連するＲＶインデックスが、選択された値＋１を示す値であり（複数の無線フレームのうちの第１の無線フレームが、複数の無線フレームのうちの第２の無線フレームの直前である時）、復号されたペイロードが第１の復号されたペイロードと一致することを含むことができる。
【０１１１】
いくつかの実施形態では、方法５００は、復号されたペイロードのＣＲＣが複数の無線フレームのうちの第２の無線フレームのブラインド復号中に許容可能ではないことの判定に応答して、第１の復号されたペイロードを破棄することを含むステップ（図示せず）を含むことができる。
【０１１２】
図６は、本明細書で示されるさまざまな態様による、信頼できるチャネル復号の方法の流れ図である。６１０では、方法６００は、物理ブロードキャストチャネルを受信することを含むことができる。６２０では、方法６００は、物理ブロードキャストチャネルをブラインド復号することを含むことができる。いくつかの実施形態では、ブラインド復号は、複数の無線フレームにまたがって実行される。
【０１１３】
６３０では、方法６００は、誤警報が復号されたペイロードに関連するかどうかを判定することを含むことができる。いくつかの実施形態では、誤警報が復号されたペイロードに関連するかどうかの判定は、複数の復号されたペイロードのプリアンブルに対する複数の巡回冗長検査（ＣＲＣ）を比較することを含み、復号されたペイロードは、複数の復号されたペイロードのうちの１つである。この方法は、複数の復号されたペイロードのうちの複数が、許容可能である巡回冗長検査に関連することの判定に応答して、ブラインド復号中に最も多数のＣＲＣ合格に関連する１つまたは複数の復号されたペイロードを選択することを含むこともできる。この方法は、許容可能と思われる復号されたペイロードから、最も多数のＣＲＣ合格および／または最大のＲＶインデックスを有する許容可能なペイロードのうちの１つを選択することを含むこともできる。
【０１１４】
６４０では、方法６００は、誤警報が復号されたペイロードに関連することの判定に応答して、復号されたペイロードを拒絶することを含むことができる。
【０１１５】
図７Ａは、本明細書で示されるさまざまな態様による、信頼できるチャネル復号のための例のシステムのブロック図の図である。システム７００が、プロセッサ、ハードウェア、ソフトウェア、ファームウェア、またはその組合せによって実施される機能を表す機能ブロックとすることができる機能ブロックを含むものとして表されていることを了解されたい。
【０１１６】
システム７００は、電気コンポーネントの論理グループ化または物理グループ化７０２を含むことができる。たとえば、論理グループ化または物理グループ化７０２は、物理ブロードキャストチャネルを有するダウンリンク送信を受信する電気コンポーネント７０４を含むことができる。ＰＢＣＨは、複数の無線フレームにまたがって受信され得るシステム情報を含むことができる。
【０１１７】
論理グループ化または物理グループ化７０２は、物理ブロードキャストチャネルをブラインド復号する電気コンポーネント７０６を含むことができる。いくつかの実施形態では、物理ブロードキャストチャネルのブラインド復号は、復号されたペイロードについて成功の巡回冗長検査が達成されるまで実行され、以前に成功して復号されたペイロードを復号されたペイロードと比較することを備える。
【０１１８】
ブラインド復号を、複数の無線フレームにまたがって実行することができ、ここで、誤警報が復号されたペイロードに関連するかどうかの判定は、第１の復号されたペイロードの巡回冗長検査が複数の無線フレームのうちの第１の無線フレームのブラインド復号中に許容可能であるかどうかと、第１の復号されたペイロードに関連するＲＶインデックスが選択された値未満であるかどうかとを判定することを含む。第１の復号されたペイロードを、第１の復号されたペイロードのＣＲＣが複数の無線フレームのうちの第１の無線フレームのブラインド復号中に許容可能であることの判定に応答してメモリに格納することができる。さらに、復号されたペイロードのＣＲＣが、複数の無線フレームのうちの第１の無線フレームより時間的に後に受信される複数の無線フレームのうちの第２の無線フレームのブラインド復号中に許容可能であるかどうかを判定することができる。
【０１１９】
いくつかの実施形態では、ＲＶインデックスの選択された値を、３未満の値とすることができる。いくつかの実施形態では、選択された値を、０、１、または２のうちの少なくとも１つとすることができる。いくつかの実施形態では、選択された値を、１または２のうちの少なくとも１つとすることができる。
【０１２０】
論理グループ化または物理グループ化７０２は、誤警報が復号されたペイロードに関連するかどうかを判定する電気コンポーネント７０８を含むことができる。いくつかの実施形態では、誤警報が復号されたペイロードに関連するかどうかの判定は、違反条件を検出することを備える。いくつかの実施形態では、違反条件は、以前に成功して復号されたペイロードに関連する第１の帯域幅（ＢＷ）フィールドが復号されたペイロードに関連する第２のＢＷフィールドと同一ではない時に検出される。
【０１２１】
いくつかの実施形態では、違反条件は、以前に成功して復号されたペイロードに関連する第１のＢＷフィールドと以前に成功して復号されたペイロードに関連する第１の予約済みビットとが、それぞれ復号されたペイロードに関連する第２のＢＷフィールドおよび復号されたペイロードに関連する第２の予約済みビットと同一ではない時に検出される。
【０１２２】
いくつかの実施形態では、違反条件は、復号されたペイロードに関連するシステムフレーム番号が、復号されたペイロードに関連するフレームと以前に成功して復号されたペイロードに関連するフレームとの間の物理ブロードキャストチャネルフレームの不正な個数を示す時に検出される。
【０１２３】
いくつかの実施形態では、違反条件は、ＲＶインデックスが、物理ブロードキャストチャネルの既知のフレーム境界に関する期待値と矛盾する時に検出される。
【０１２４】
いくつかの実施形態では、違反条件は、ＰＣＦＩＣＨ値が期待されるＰＨＩＣＨ持続時間と矛盾する時に検出される。一例として、ＰＣＦＩＣＨ値が１または２であり、ＰＨＩＣＨ持続時間が１ＯＦＤＭシンボル以外である時に、矛盾を検出することができる。
【０１２５】
論理グループ化または物理グループ化７０２は、誤警報が復号されたペイロードに関連することの判定に応答して復号されたペイロードを拒絶する電気コンポーネント７１０を含むことができる。
【０１２６】
いくつかの実施形態では、論理グループ化または物理グループ化７０２は、復号されたペイロードの巡回冗長検査が複数の無線フレームのうちの第２の無線フレームのブラインド復号中に許容可能であり、条件が満足されることの判定に応答して、復号されたペイロードを受け入れる電気コンポーネント（図示せず）を含むこともできる。条件は、復号されたペイロードに関連するＲＶインデックスが、選択された値＋１を示す値であり（複数の無線フレームのうちの第１の無線フレームが、複数の無線フレームのうちの第２の無線フレームの直前である時）、復号されたペイロードが第１の復号されたペイロードと一致することを含むことができる。
【０１２７】
いくつかの実施形態では、ＲＶインデックスの選択された値を、３未満の値とすることができる。いくつかの実施形態では、選択された値を、０、１、または２のうちの少なくとも１つとすることができる。いくつかの実施形態では、選択された値を、１または２のうちの少なくとも１つとすることができる。
【０１２８】
論理グループ化または物理グループ化７０２は、メモリ要素など、格納する電気コンポーネント７１２を含むことができる。格納する電気コンポーネント７１２を、図７Ａを参照して説明されるように、他の情報の中でも、物理ブロードキャストチャネルと、ペイロード情報と、復号されたペイロード情報と、ブラインド復号に使用される仮説と、パラメータの期待される値とを格納するように構成することができる。
【０１２９】
いくつかの実施形態では、論理グループ化または物理グループ化７０２は、復号されたペイロードのＣＲＣが、複数の無線フレームのうちの第２の無線フレームのブラインド復号中に許容可能であり、条件が満足されないことの判定に応答して、第１の復号されたペイロードを破棄し、復号されたペイロードを格納する電気コンポーネント（図示せず）を含むこともできる。条件は、復号されたペイロードに関連するＲＶインデックスが、選択された値＋１を示す値であり（複数の無線フレームのうちの第１の無線フレームが、複数の無線フレームのうちの第２の無線フレームの直前である時）、復号されたペイロードが第１の復号されたペイロードと一致することを含むことができる。
【０１３０】
いくつかの実施形態では、論理グループ化または物理グループ化７０２は、復号されたペイロードのＣＲＣが複数の無線フレームのうちの第２の無線フレームのブラインド復号中に許容可能ではないことの判定に応答して、第１の復号されたペイロードを破棄する電気コンポーネント（図示せず）を含むこともできる。
【０１３１】
図７Ｂは、本明細書で示されるさまざまな態様による、信頼できるチャネル復号のための例のシステムのブロック図の図である。システム７２０が、プロセッサ、ハードウェア、ソフトウェア、ファームウェア、またはその組合せによって実施される機能を表す機能ブロックとすることができる機能ブロックを含むものとして表されていることを了解されたい。システム７２０は、電気コンポーネントの論理グループ化または物理グループ化７２２を含むことができる。
【０１３２】
電気コンポーネントは、関連して働くことができる。たとえば、論理グループ化または物理グループ化７２２は、物理ブロードキャストチャネルを受信する電気コンポーネント７２４を含むことができる。論理グループ化または物理グループ化７２２は、物理ブロードキャストチャネルをブラインド復号する電気コンポーネント７２６を含むことができる。いくつかの実施形態では、ブラインド復号は、複数の無線フレームにまたがって実行される。
【０１３３】
論理グループ化または物理グループ化７２２は、誤警報が復号されたペイロードに関連するかどうかを判定する電気コンポーネント７２８を含むことができる。いくつかの実施形態では、誤警報が復号されたペイロードに関連するかどうかの判定は、複数の復号されたペイロードのプリアンブルに対する複数の巡回冗長検査を比較することを含み、復号されたペイロードは、複数の復号されたペイロードのうちの１つである。この判定は、複数の復号されたペイロードのうちの複数が、許容可能であるＣＲＣに関連することの判定に応答して、ブラインド復号中に最も多数のＣＲＣ合格に関連する１つまたは複数の復号されたペイロードを選択することを含むこともできる。その場合に、最も多数のＣＲＣ合格と最大のＲＶインデックスとに関連する許容可能なペイロードのうちの１つを選択することができる。
【０１３４】
論理グループ化または物理グループ化７２２は、誤警報が復号されたペイロードに関連することの判定に応答して、復号されたペイロードを拒絶する電気コンポーネント７３０を含むことができる。
【０１３５】
論理グループ化または物理グループ化７２２は、メモリ要素など、格納する電気コンポーネント７３２を含むことができる。格納する電気コンポーネント７３２を、図７Ｂを参照して説明されるように、他の情報の中でも、物理ブロードキャストチャネルと、ペイロード情報と、復号されたペイロード情報と、ブラインド復号に使用される仮説と、パラメータの期待される値とを格納するように構成することができる。
【０１３６】
図８Ａは、本明細書で示されるさまざまな態様による、信頼できるチャネル復号のための例のシステムのブロック図の図である。システム８００が、プロセッサ、ハードウェア、ソフトウェア、ファームウェア、またはその組合せによって実施される機能を表す機能ブロックとすることができる機能ブロックを含むものとして表されていることを了解されたい。
【０１３７】
システム８００は、電気コンポーネントの論理グループ化または物理グループ化８０２を含むことができる。たとえば、論理グループ化または物理グループ化８０２は、ワイヤレスネットワークに関連するシステム情報を入手するために現在の無線フレームのブロードキャストチャネルを復号する電気コンポーネント８０４と、格納する電気コンポーネント８１０とを含むことができる。ブロードキャストチャネルの復号は、いくつかの実施形態で、複数の仮説をテストすることを含むことができる。格納する電気コンポーネント８１０は、複数の無線フレームから入手されたシステム情報のコピー、ブラインド復号に使用される仮説、ＰＢＣＨペイロード、パラメータの期待される値などを維持することができる。
【０１３８】
論理グループ化または物理グループ化８０２は、現在の無線フレームのシステム情報を前の無線フレームから入手されたシステム情報と比較する電気コンポーネント８０６を含むことができる。いくつかの実施形態で、この比較は、ブロードキャストチャネルの復号に関連する巡回冗長検査に合格することに応答して開始される。
【０１３９】
いくつかの実施形態では、システム情報は、帯域幅（ＢＷ）インジケータを備え、現在の無線フレームのシステム情報は、現在の無線フレームのＢＷインジケータが前の無線フレームのＢＷインジケータと一致しない時に拒絶される。いくつかの実施形態では、現在の無線フレームからのシステム情報は、前のフレームに関連するシステムフレーム番号（ＳＦＮ）に少なくとも部分的に基づいて選択的に拒絶される。
【０１４０】
いくつかの実施形態では、システム情報は、冗長性バージョン（ＲＶ）を備え、現在のフレームのシステム情報を前の無線フレームからのシステム情報と比較することは、現在の無線フレームに関連する第１のＲＶを前の無線フレームから判定された期待されるＲＶと比較することを含む。この実施形態では、第１のＲＶが期待されるＲＶと一致しない時に、現在の無線フレームのシステム情報を拒絶することができる。
【０１４１】
論理グループ化または物理グループ化８０２は、比較の結果に少なくとも部分的に基づいて現在の無線フレームのシステム情報を選択的に拒絶する電気コンポーネント８０８を含むこともできる。
【０１４２】
図８Ｂは、本明細書で示されるさまざまな態様による、信頼できるチャネル復号のための例のシステムのブロック図の図である。システム８２０が、プロセッサ、ハードウェア、ソフトウェア、ファームウェア、またはその組合せによって実施される機能を表す機能ブロックとすることができる機能ブロックを含むものとして表されていることを了解されたい。システム８２０は、電気コンポーネントの論理グループ化または物理グループ化８２２を含むことができる。
【０１４３】
電気コンポーネントは、関連して働くことができる。たとえば、論理グループ化または物理グループ化８２２は、物理ブロードキャストチャネル（ＰＢＣＨ）を有するダウンリンク送信を受信する電気コンポーネント８２４と、第１の復号されたＰＢＣＨペイロードを入手するためにＰＢＣＨを復号する電気コンポーネント８２６とを含むことができる。論理グループ化または物理グループ化８２２は、第１の復号されたＰＢＣＨペイロードの前に入手された第２の復号されたＰＢＣＨペイロードに少なくとも部分的に基づいて第１の復号されたＰＢＣＨペイロードに関係するエラー条件を検出する電気コンポーネント８２８を含むことができる。
【０１４４】
論理グループ化または物理グループ化８２２は、エラー条件の検出に応答して第１の復号されたＰＢＣＨペイロードを拒絶する電気コンポーネント８３０を含むことができる。
【０１４５】
最初の復号されたＰＢＣＨペイロードについて成功のＣＲＣが達成されるまで、ＰＢＣＨの復号を実行することができる。いくつかの実施形態では、復号は、複数の仮説をテストすることをさらに備えることもできる。
【０１４６】
いくつかの実施形態で、エラー条件の検出は、第１の復号されたＰＢＣＨペイロードに関連する帯域幅（ＢＷ）フィールドが、第２の復号されたＰＢＣＨペイロードに関連するＢＷフィールドと一致しないことを判定することを含む。いくつかの実施形態で、エラー条件の検出は、第１の復号されたＰＢＣＨペイロードに関連するＢＷフィールドと第１の復号されたＰＢＣＨペイロードに関連する予約済みビットとが、それぞれ第２の復号されたＰＢＣＨペイロードに関連するＢＷフィールドおよび第２の復号されたＰＢＣＨペイロードに関連する予約済みビットと一致しないことを判定することを含む。
【０１４７】
いくつかの実施形態では、エラー条件の検出は、第１の復号されたＰＢＣＨペイロードに関連するシステムフレーム番号が、第１の復号されたＰＢＣＨペイロードに関連するフレームと第２の復号されたＰＢＣＨペイロードに関連するフレームとの間のＰＢＣＨフレームの不正な個数を示すことを判定することを備える。いくつかの実施形態では、エラー条件の検出は、冗長性値インデックスがＰＢＣＨの既知のフレーム境界に関する期待値と共に含まれることを判定することを備える。いくつかの実施形態では、エラー条件の検出は、ＰＣＦＩＣＨ値が期待されるＰＨＩＣＨ持続時間と矛盾することを判定することを備える。
【０１４８】
いくつかの実施形態では、復号は、複数の無線フレームにまたがって実行され、エラー条件が第１の復号されたＰＢＣＨペイロードに関係するかどうかの判定は、第１の復号されたＰＢＣＨペイロードの巡回冗長検査が複数の無線フレームのうちの第１の無線フレームに関する復号中に許容可能と判定されるかどうかと、第１の復号されたＰＢＣＨペイロードに関連するＲＶインデックスが選択された値未満であるかどうかとを判定することを含む。復号は、第１の復号されたＰＢＣＨペイロードのＣＲＣが複数の無線フレームのうちの第１の無線フレームの復号中に許容可能であることの判定に応答して第１の復号されたＰＢＣＨペイロードを格納することと、第１の復号されたＰＢＣＨペイロードのＣＲＣが複数の無線フレームのうちの第１の無線フレームより時間的に後に受信された複数の無線フレームのうちの第２の無線フレームの復号中に許容可能であるかどうかを判定することとを含むこともできる。
【０１４９】
いくつかの実施形態では、論理グループ化または物理グループ化８２２は、第１の復号されたＰＢＣＨペイロードのＣＲＣが複数の無線フレームのうちの第２の無線フレームに関する復号中に許容可能であり、条件が満足されることの判定に応答して、第１の復号されたＰＢＣＨペイロードを受け入れる電気コンポーネント（図示せず）を含むことができる。条件は、第１の復号されたＰＢＣＨペイロードに関連するＲＶインデックスが、選択された値＋１を示す値であり（複数の無線フレームのうちの第１の無線フレームが複数の無線フレームのうちの第２の無線フレームの直前である時）、第１の復号されたＰＢＣＨペイロードが第２の復号されたＰＢＣＨペイロードと一致することを判定することを含むことができる。
【０１５０】
いくつかの実施形態では、論理グループ化または物理グループ化８２２は、第１の復号されたＰＢＣＨペイロードの巡回冗長検査が複数の無線フレームのうちの第２の無線フレームに関する復号中に許容可能であり、条件が満足されないことの判定に応答して、第２の復号されたＰＢＣＨペイロードを破棄し、第１の復号されたＰＢＣＨペイロードを格納する電気コンポーネント（図示せず）を含むことができる。条件は、第１の復号されたＰＢＣＨペイロードに関連するＲＶインデックスが選択された値＋１を示す値であり（複数の無線フレームのうちの第１の無線フレームが複数の無線フレームのうちの第２の無線フレームの直前である時）、第１の復号されたＰＢＣＨペイロードが第２の復号されたＰＢＣＨペイロードと一致することを含むことができる。
【０１５１】
いくつかの実施形態では、論理グループ化または物理グループ化８２２は、第１の復号されたＰＢＣＨペイロードのＣＲＣが複数の無線フレームのうちの第２の無線フレームの復号中に許容可能ではないことの判定に応答して第１の復号されたＰＢＣＨペイロードを破棄する電気コンポーネント（図示せず）を含むことができる。
【０１５２】
いくつかの実施形態では、復号は、複数の無線フレームにまたがって実行され、エラー条件が第１の復号されたＰＢＣＨペイロードに関係するかどうかの判定は、複数の復号されたペイロードのプリアンブルに対する複数の巡回冗長検査を比較することを含むことができる。この復号は、複数の復号されたペイロードのうちの複数が、許容可能である巡回冗長検査に関連する時に、復号中の最も多数の巡回冗長検査合格に関連する１つまたは複数の復号されたペイロードを選択することを含むこともできる。その場合に、１つまたは複数の復号されたペイロードのうちで、最も多数の巡回冗長検査合格および／または最大のＲＶインデックスに関連するペイロードを選択することができる。
【０１５３】
図９に、本明細書で説明される実施形態を本明細書で示されるさまざまな態様に従って使用できる例のワイヤレス通信システムを示す。本明細書の教示を、少なくとも１つの他のノードと通信するさまざまなコンポーネントを使用するノード（たとえば、デバイス）に組み込むことができる。図９は、ノードの間の通信を容易にするのに使用できる複数のサンプルのコンポーネントを示す。具体的には、図９は、ワイヤレス通信システム９００（たとえば、ＭＩＭＯシステム）の、ワイヤレスデバイス９１０（たとえば、アクセスポイント）とワイヤレスデバイス９５０（たとえば、アクセス端末）とを示す。デバイス９１０では、複数のデータストリームのトラフィックデータが、データソース９１２から送信（ＴＸ）データプロセッサ９１４に提供される。
【０１５４】
いくつかの実施形態では、トラフィックデータは、ＤＬ上で送信される制御情報を含む。制御情報は、干渉によって壊される可能性がある。ワイヤレスデバイス９１０を、ワイヤレスデバイス９５０での制御情報の復号での高められた信頼性のために、ワイヤレスデバイス９５０への送信の前に制御情報を処理するように構成することができる。具体的に言うと、ワイヤレスデバイス９５０を、本明細書で説明するように、誤警報につながるエラー条件を検出し、かつ／またはブラインド復号を実行するように構成することができる。
【０１５５】
いくつかの態様では、各データストリームは、それぞれの送信アンテナを介して送信される。ＴＸデータプロセッサ９１４は、コーディングされたデータを提供するために、各データストリームについて選択された特定のコーディング方式に基づいて、そのデータストリームのトラフィックデータをフォーマットし、コーディングし、インターリーブする。
【０１５６】
各データストリームのコーディングされたデータを、ＯＦＤＭ技法を使用してパイロットデータと多重化することができる。パイロットデータは、通常、既知の形で処理され、チャネル応答を推定するために受信器システムで使用され得る、既知のデータパターンである。その後、各データストリームの多重化されたパイロットデータとコーディングされたデータとは、変調シンボルを提供するために、そのデータストリームについて選択された特定の変調方式（たとえば、ＢＰＳＫ、ＱＰＳＫ、Ｍ−ＰＳＫ、またはＭ−ＱＡＭ）に基づいて変調される（すなわち、シンボルマッピングされる）。各データストリームのデータレートとコーディングと変調とを、プロセッサ９３０によって実行される命令によって判定することができる。データメモリ９３２は、プロセッサ９３０またはデバイス９１０の他のコンポーネントによって使用されるプログラムコードとデータと他の情報とを格納することができる。
【０１５７】
その後、すべてのデータストリームの変調シンボルが、変調シンボルをさらに処理できる（たとえば、ＯＦＤＭのために）ＴＸ  ＭＩＭＯプロセッサ９２０に提供される。その後、ＴＸ  ＭＩＭＯプロセッサ９２０は、ＮT個の変調シンボルストリームをＮT個のトランシーバ（ＸＣＶＲ）９２２Ａから９２２Ｔに提供する。いくつかの態様では、ＴＸ  ＭＩＭＯプロセッサ９２０は、データストリームのシンボルと、そのシンボルがそこから送信されようとしているアンテナとにビームフォーミング重みを適用する。
【０１５８】
各トランシーバ９２２は、１つまたは複数のアナログ信号を提供するためにそれぞれのシンボルストリームを受け取り、処理し、ＭＩＭＯチャネルを介する送信に適切な変調された信号を提供するためにアナログ信号をさらに条件付ける（たとえば、増幅し、フィルタリングし、アップコンバートする）。その後、トランシーバ９２２Ａから９２２ＴからのＮT個の変調された信号が、それぞれＮT個のアンテナ９２４Ａから９２４Ｔから送信される。
【０１５９】
デバイス９５０では、送信された変調された信号が、ＮR個のアンテナ９５２Ａから９５２Ｒによって受信され、各アンテナ９５２からの受信された信号が、それぞれのトランシーバ（ＸＣＶＲ）９５４Ａから９５４Ｒに提供される。各トランシーバ９５４は、それぞれの受信された信号を条件付け（たとえば、フィルタリングし、増幅し、ダウンコンバートし）、サンプルを提供するために条件付けられた信号をディジタル化し、対応する「受信された」シンボルストリームを提供するためにサンプルをさらに処理する。
【０１６０】
その後、受信（ＲＸ）データプロセッサ９６０が、ＮR個の受信されたシンボルストリームをＮR個のトランシーバ９５４から受け取り、ＮT個の「検出された」シンボルストリームを提供するために特定の受信器処理技法に基づいて処理する。その後、ＲＸデータプロセッサ９６０は、データストリームのトラフィックデータを回復するために、各検出されたシンボルストリームを復調し、インターリーブ解除し、復号する。ＲＸデータプロセッサ９６０による処理は、デバイス９１０でＴＸ  ＭＩＭＯプロセッサ９２０とＴＸデータプロセッサ９１４とによって実行される処理に相補的である。
【０１６１】
プロセッサ９７０は、使用すべきプリコーディング行列（下で述べる）を周期的に判定する。プロセッサ９７０は、行列インデックス部分とランク値部分とを備える逆方向リンクメッセージを定式化する。データメモリ９７２は、プロセッサ９７０またはデバイス９５０の他のコンポーネントによって使用されるプログラムコードとデータと他の情報とを格納することができる。
【０１６２】
逆方向リンクメッセージは、通信リンクおよび／または受信されたデータストリームに関するさまざまなタイプの情報を備えることができる。その後、逆方向リンクメッセージは、データソース９３６から複数のデータストリームに関するトラフィックデータをも受け取るＴＸデータプロセッサ９３８によって処理され、変調器９８０によって変調され、トランシーバ９５４Ａから９５４Ｒによって条件付けられ、デバイス９１０に戻って送信される。
【０１６３】
デバイス９１０では、デバイス９５０からの変調された信号が、アンテナ９２４によって受信され、トランシーバ９２２によって条件付けられ、復調器（ＤＥＭＯＤ）９４０によって復調され、ＲＸデータプロセッサ９４２によって処理されて、デバイス９５０によって送信された逆方向リンクメッセージが抽出される。その後、プロセッサ９３０は、ビームフォーミング重みを判定するのに使用すべきプリコーディング行列を判定し、その後、抽出されたメッセージを処理する。
【０１６４】
図９には、通信コンポーネントが、本明細書で教示されるように干渉制御動作を実行する１つまたは複数のコンポーネントを含むことができることも示されている。たとえば、干渉（ＩＮＴＥＲ．）制御コンポーネント９９０は、本明細書で教示されるように、別のデバイス（たとえば、デバイス９５０）へ／から信号を送信／受信するためにプロセッサ９３０および／またはデバイス９１０の他のコンポーネントと協力することができる。同様に、干渉制御コンポーネント９９２は、別のデバイス（たとえば、デバイス９１０）へ／から信号を送信／受信するためにプロセッサ９７０および／またはデバイス９５０の他のコンポーネントと協力することができる。各デバイス９１０と９５０とについて、説明されたコンポーネントのうちの複数の機能性を、単一のコンポーネントによって提供できることを了解されたい。たとえば、単一の処理コンポーネントが、干渉制御コンポーネント９９０とプロセッサ９３０との機能性を提供することができ、単一の処理コンポーネントが、干渉制御コンポーネント９９２とプロセッサ９７０との機能性を提供することができる。
【０１６５】
一態様では、論理チャネルを、制御チャネルとトラフィックチャネルとに分類することができる。論理制御チャネルは、システム制御情報をブロードキャストするＤＬチャネルであるブロードキャスト制御チャネル（ＢＣＣＨ）を含むことができる。さらに、論理制御チャネルは、ページング情報を転送するＤＬチャネルであるページング制御チャネル（ＰＣＣＨ）を含むことができる。さらに、論理制御チャネルは、１つまたは複数のマルチキャストトラフィックチャネル（ＭＴＣＨ）のＭｕｌｔｉｍｅｄｉａ  Ｂｒｏａｄｃａｓｔ  ａｎｄ  Ｍｕｌｔｉｃａｓｔ  Ｓｅｒｖｉｃｅ（ＭＢＭＳ）のスケジューリング情報と制御情報とを送信するのに使用されるポイントツーマルチポイントＤＬチャネルであるマルチキャスト制御チャネル（ＭＣＣＨ）を含むことができる。一般に、Ｒａｄｉｏ  Ｒｅｓｏｕｒｃｅ  Ｃｏｎｔｒｏｌ（ＲＲＣ）接続を確立した後に、このチャネルは、ＭＢＭＳ（たとえば、旧ＭＣＣＨ＋ＭＳＣＨ）を受信するＵＥによってのみ使用される。さらに、論理制御チャネルは、専用制御情報を送信するポイントツーポイント両方向チャネルであり、ＲＲＣ接続を有するＵＥによって使用され得るＤｅｄｉｃａｔｅｄ  Ｃｏｎｔｒｏｌ  Ｃｈａｎｎｅｌ（ＤＣＣＨ）を含むことができる。一態様では、論理トラフィックチャネルは、ユーザ情報の転送用の、１つのＵＥに専用のポイントツーポイント両方向チャネルであるＤｅｄｉｃａｔｅｄ  Ｔｒａｆｆｉｃ  Ｃｈａｎｎｅｌ（ＤＴＣＨ）を備えることができる。また、論理トラフィックチャネルは、トラフィックデータを送信するポイントツーマルチポイントＤＬチャネル用のＭＴＣＨを含むことができる。
【０１６６】
一態様では、トランスポートチャネルは、ＤＬとＵＬとに分類される。ＤＬトランスポートチャネルは、Ｂｒｏａｄｃａｓｔ  Ｃｈａｎｎｅｌ（ＢＣＨ）とＤｏｗｎｌｉｎｋ  Ｓｈａｒｅｄ  Ｄａｔａ  Ｃｈａｎｎｅｌ（ＤＬ−ＳＤＣＨ）とＰａｇｉｎｇ  Ｃｈａｎｎｅｌ（ＰＣＨ）とを含むことができる。ＰＣＨは、セル全体にブロードキャストされることと、他の制御／トラフィックチャネルに使用できる物理層（ＰＨＹ）リソースにマッピングされることとによって、ＵＥ節電をサポートすることができる（たとえば、Ｄｉｓｃｏｎｔｉｎｕｏｕｓ  Ｒｅｃｅｐｔｉｏｎ（ＤＲＸ）サイクルを、ＵＥに対してネットワークによって指示することができる）。ＵＬトランスポートチャネルは、Ｒａｎｄｏｍ  Ａｃｃｅｓｓ  Ｃｈａｎｎｅｌ（ＲＡＣＨ）と、Ｒｅｑｕｅｓｔ  Ｃｈａｎｎｅｌ（ＲＥＱＣＨ）と、Ｕｐｌｉｎｋ  Ｓｈａｒｅｄ  Ｄａｔａ  Ｃｈａｎｎｅｌ（ＵＬ−ＳＤＣＨ）と、複数のＰＨＹチャネルとを備えることができる。
【０１６７】
ＰＨＹチャネルは、ＤＬチャネルとＵＬチャネルとのセットを含むことができる。たとえば、ＤＬ  ＰＨＹチャネルは、Ｃｏｍｍｏｎ  Ｐｉｌｏｔ  Ｃｈａｎｎｅｌ（ＣＰＩＣＨ）、Ｓｙｎｃｈｒｏｎｉｚａｔｉｏｎ  Ｃｈａｎｎｅｌ（ＳＣＨ）、Ｃｏｍｍｏｎ  Ｃｏｎｔｒｏｌ  Ｃｈａｎｎｅｌ（ＣＣＣＨ）、Ｓｈａｒｅｄ  ＤＬ  Ｃｏｎｔｒｏｌ  Ｃｈａｎｎｅｌ（ＳＤＣＣＨ）、Ｍｕｌｔｉｃａｓｔ  Ｃｏｎｔｒｏｌ  Ｃｈａｎｎｅｌ（ＭＣＣＨ）、Ｓｈａｒｅｄ  ＵＬ  Ａｓｓｉｇｎｍｅｎｔ  Ｃｈａｎｎｅｌ（ＳＵＡＣＨ）、Ａｃｋｎｏｗｌｅｄｇｅｍｅｎｔ  Ｃｈａｎｎｅｌ（ＡＣＫＣＨ）、ＤＬ  Ｐｈｙｓｉｃａｌ  Ｓｈａｒｅｄ  Ｄａｔａ  Ｃｈａｎｎｅｌ（ＤＬ−ＰＳＤＣＨ）、ＵＬ  Ｐｏｗｅｒ  Ｃｏｎｔｒｏｌ  Ｃｈａｎｎｅｌ（ＵＰＣＣＨ）、Ｐａｇｉｎｇ  Ｉｎｄｉｃａｔｏｒ  Ｃｈａｎｎｅｌ（ＰＩＣＨ）、および／またはＬｏａｄ  Ｉｎｄｉｃａｔｏｒ  Ｃｈａｎｎｅｌ（ＬＩＣＨ）を含むことができる。さらなる例示として、ＵＬ  ＰＨＹチャネルは、Ｐｈｙｓｉｃａｌ  Ｒａｎｄｏｍ  Ａｃｃｅｓｓ  Ｃｈａｎｎｅｌ（ＰＲＡＣＨ）、Ｃｈａｎｎｅｌ  Ｑｕａｌｉｔｙ  Ｉｎｄｉｃａｔｏｒ  Ｃｈａｎｎｅｌ（ＣＱＩＣＨ）、Ａｃｋｎｏｗｌｅｄｇｅｍｅｎｔ  Ｃｈａｎｎｅｌ（ＡＣＫＣＨ）、Ａｎｔｅｎｎａ  Ｓｕｂｓｅｔ  Ｉｎｄｉｃａｔｏｒ  Ｃｈａｎｎｅｌ（ＡＳＩＣＨ）、Ｓｈａｒｅｄ  Ｒｅｑｕｅｓｔ  Ｃｈａｎｎｅｌ（ＳＲＥＱＣＨ）、ＵＬ  Ｐｈｙｓｉｃａｌ  Ｓｈａｒｅｄ  Ｄａｔａ  Ｃｈａｎｎｅｌ（ＵＬ−ＰＳＤＣＨ）、および／またはＢｒｏａｄｂａｎｄ  Ｐｉｌｏｔ  Ｃｈａｎｎｅｌ（ＢＰＩＣＨ）を含むことができる。
【０１６８】
本明細書で説明される実施形態を、ハードウェア、ソフトウェア、ファームウェア、ミドルウェア、マイクロコード、またはその任意の組合せで実施できることを理解されたい。ハードウェア実施態様について、処理ユニットを、１つまたは複数の特定用途向け集積回路（ＡＳＩＣ）、ディジタル信号プロセッサ（ＤＳＰ）、ディジタル信号処理デバイス（ＤＰＳＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、および／または本明細書で説明される機能を実行するように設計された他の電子ユニット、あるいはその組合せの中で実施することができる。
【０１６９】
実施形態が、ソフトウェア、ファームウェア、ミドルウェアもしくはマイクロコード、プログラムコード、またはコードセグメントで実施される時に、これらを、ストレージコンポーネントなどの機械可読媒体（またはコンピュータ可読媒体）に格納することができる。コードセグメントは、手続き、関数、サブプログラム、プログラム、ルーチン、サブルーチン、モジュール、ソフトウェアパッケージ、クラス、または命令、データ構造、もしくはプログラムステートメントの任意の組合せを表すことができる。コードセグメントを、情報、データ、引数、パラメータ、またはメモリ内容を渡し、かつ／または受け取ることによって、別のコードセグメントまたはハードウェア回路に結合することができる。情報、引数、パラメータ、データなどを、メモリ共有、メッセージ渡し、トークン渡し、ネットワーク伝送などを含む任意の適切な手段を使用して渡し、転送し、または送信することができる。
【０１７０】
いくつかの実施形態について、本明細書で説明される技法を、プロセッサによって実行されるモジュール（たとえば、手続き、関数など）または本明細書で説明される機能を実行する専用回路網を表すモジュールを用いて実施することができる。命令とデータとを、メモリユニットに格納することができる。メモリユニットを、プロセッサ内またはプロセッサの外部で実施することができ、後者の場合には、メモリユニットを、当技術分野で既知のように、さまざまな手段を介してプロセッサに通信的に結合することができる。
【０１７１】
上で説明されたものは、１つまたは複数の実施形態の例を含む。もちろん、前述の実施形態の説明において、コンポーネントまたは方法論の考えられるすべての組合せを記述することは不可能であるが、当業者は、さまざまな実施形態の多数のさらなる組合せと置換とが可能であることを認めるであろう。したがって、説明された実施形態は、添付の特許請求の範囲の趣旨と範囲とに含まれるすべての代替形態と修正形態と変形形態とを包含することが意図されている。さらに、用語「ｉｎｃｌｕｄｅｓ（含む）」がこの詳細な説明または特許請求の範囲のいずれかで使用される範囲で、そのような用語は、用語「ｃｏｍｐｒｉｓｉｎｇ（備える）」が請求項で前後を接続させる単語として使用される時に「ｃｏｍｐｒｉｓｉｎｇ（備える）」が解釈されるのに似た形で包含的であることが意図されている。
【図１】
2013501426.tif 000034
【図２】
2013501426.tif 000035
【図３Ａ】
2013501426.tif 000036
【図３Ｂ】
2013501426.tif 000037
【図３Ｃ】
2013501426.tif 000038
【図３Ｄ】
2013501426.tif 000039
【図３Ｅ】
2013501426.tif 000040
【図３Ｆ】
2013501426.tif 000041
【図３Ｇ】
2013501426.tif 000042
【図４Ａ】
2013501426.tif 000043
【図４Ｂ】
2013501426.tif 000044
【図５】
2013501426.tif 000045
【図６】
2013501426.tif 000046
【図７Ａ】
2013501426.tif 000047
【図７Ｂ】
2013501426.tif 000048
【図８Ａ】
2013501426.tif 000049
【図８Ｂ】
2013501426.tif 000050
【図９】
2013501426.tif 000051
【国際調査報告】
2013501426.tif 000052
2013501426.tif 000053
2013501426.tif 000054